(57)【特許請求の範囲】
【請求項１】
エレベータメーカの顧客としてのユーザが用いる複数のユーザ端末と、エレベータメーカが用い、これらのユーザ端末とインターネットを介して接続され、ＰＤＭ機能に基づきエレベータ情報管理データベースの管理を行うエレベータ新規仕様設定用サーバとを備えており、
このエレベータ新規仕様設定用サーバは、
いずれかのユーザ端末からアクセスがあった場合に、そのユーザ端末に対してＩＤ番号の認証又はＩＤ番号の発行を行うユーザ認証手段と、
前記ユーザ認証手段が前記認証又は発行を行った後、所望のエレベータ新規仕様を記入し得る画面をユーザ端末に対して提供する新規仕様記入画面提供手段と、
前記ユーザ端末が前記新規仕様記入画面提供手段の提供した画面に新規仕様を記入してきた場合に、エレベータの価格及び工期を前記エレベータ情報管理データベースを参照して演算し、この演算に基づく見積もり結果を前記ユーザ端末に送付すると共に、発注意思を問い合わせる見積もり送付手段と、
前記見積もり送付手段が前記見積もり結果を送付した後、前記ユーザ端末から発注意思が有る旨の最終的確認を得た場合に、前記エレベータ情報管理データベースにエレベータの新規設置に関して受注した旨及びその新規仕様に関するデータを登録する新規仕様データ登録手段と、
を有するものであり、
しかも、前記エレベータ新規仕様設定用サーバは、前記新規仕様データ登録手段が前記受注した旨を登録した後のユーザの要求に応じ、前記エレベータ情報管理データベースに格納されている工程管理データに基づき、エレベータ工事進捗状況を示す画面をユーザに対して提供するものである、
ことを特徴とするエレベータの新規設置仕様設定支援システム。
【請求項２】
前記新規仕様記入画面提供手段は、エレベータの基本的な仕様を文字により記入するための基本仕様入力画面と、この基本仕様入力画面の記入結果に基づきエレベータの各個所の全体的構成及び部分的構成をコンピュータグラフィックスを用いて表す電子モックアップ画面とを提供するものである、
ことを特徴とする請求項１記載のエレベータの新規設置仕様設定支援システム。
【請求項３】
前記新規仕様データ登録手段は、前記ユーザ端末に前記発注意思の有無を問い合わせる場合に、更に別の新規仕様の記入を要求するか否かについて問い合わせ、要求するとの回答を前記ユーザ端末から得た場合には、再度前記新規仕様記入画面提供手段に対して前記画面を提供すべきことを指令するものである、
ことを特徴とする請求項１又は２記載のエレベータの新規設置仕様設定支援システム。
【請求項４】
前記新規仕様記入画面提供手段は、所定の検索項目の記入に基づき過去の受注物件に関する一覧表示画面を提供し、この一覧表示画面上で選択された受注物件の仕様データが流用可能な新規仕様データとして表示された画面を前記ユーザ端末に対して提供するものであり、
前記見積もり送付手段は、前記ユーザ端末が前記過去の受注物件の流用可能な仕様データを新規仕様データとして前記画面に記入してきた場合に、流用の程度に応じて割り引きした見積もりを行うものである、
ことを特徴とする請求項１乃至３のいずれかに記載のエレベータの新規設置仕様設定支援システム。
【請求項５】
前記新規仕様記入画面提供手段は、前記電子モックアップ画面上でエレベータの各部のシミュレーション動作を表示可能なものである、
ことを特徴とする請求項２記載のエレベータの新規設置仕様設定支援システム。
【請求項６】
前記新規仕様記入画面提供手段は、前記電子モックアップ画面上でエレベータの各部を３次元的に表し、更に３次元空間内でエレベータの各部を自在に回転させることにより所望の部位を所望の角度から見ることができるように表示することが可能なものである、
ことを特徴とする請求項２記載のエレベータの新規設置仕様設定支援システム。
【請求項７】
前記新規仕様記入画面提供手段が前記エレベータの各個所の全体的構成を表す電子モックアップ画面は全体のイメージを示す全体イメージ画面であり、また、部分的構成を表す電子モックアップ画面は用品ユニットのイメージを示す用品ユニットイメージ画面、及び用品単体のイメージを示す用品イメージ画面である、
ことを特徴とする請求項２記載のエレベータの新規設置仕様設定支援システム。
【請求項８】
前記新規仕様記入画面提供手段は、前記エレベータの各個所の全体的構成又は部分的構成に用いられる要素に標準仕様品以外の特殊仕様品が含まれている場合に、その要素が特殊仕様品である旨を画面上に表示するものである、
ことを特徴とする請求項２記載のエレベータの新規設置仕様設定支援システム。
【請求項９】
前記新規仕様記入画面提供手段が提供する基本仕様入力画面には、不可欠な必要事項が記入される必須仕様項目と、それ以外の付加的事項が記入される付加仕様項目とが色分け表示される、
ことを特徴とする請求項２記載のエレベータの新規設置仕様設定支援システム。
【請求項１０】
前記新規仕様記入画面提供手段は、前記一覧表示画面に過去の受注物件のリストを表示する場合に、前記アクセスがあったユーザ端末に係るユーザの物件と、その他のユーザに係る物件とを分けて表示し、その他のユーザに係る物件のうち仕様データを公開することが禁止されているものについては画面上での表示を行わないものである、
ことを特徴とする請求項４記載のエレベータの新規設置仕様設定支援システム。
【請求項１１】
前記新規仕様データ登録手段が受注登録した新規仕様に関するデータを、前記ユーザ端末の要求に基づき表示する登録仕様データ表示手段を有する、
ことを特徴とする請求項１乃至１０のいずれかに記載のエレベータの新規設置仕様設定支援システム。
【請求項１２】
前記新規仕様記入画面提供手段は、前記新規仕様データ登録手段による受注登録が既に行われているユーザ端末が受注時の仕様の内容を変更することを希望した場合には、前記所望のエレベータ新規仕様を記入し得る画面をユーザ端末に対して提供するものであり、
前記見積もり送付手段は、前記ユーザが前記画面に記入した変更仕様に基づきエレベータの価格及び工期の演算を再度行い、変更仕様に基づく価格及び工期の変動状況をそのユーザ端末に報告すると共に、変更仕様の内容を実施するか否かについて問い合わせるものであり、
前記新規仕様データ登録手段は、前記ユーザ端末から変更仕様の内容を実施する旨の通知を受けた場合に、前記エレベータ情報管理データベースに新規仕様の内容を変更したこと、及びその変更仕様に関するデータを登録するものである、
ことを特徴とする請求項１乃至１１のいずれかに記載のエレベータの新規設置仕様設定支援システム。
【請求項１３】
前記シミュレーション動作が、エレベータかご内又はエレベータ乗り場付近に居るエレベータ利用者の視点から見たバーチャル・ビュー・シミュレーション動作を含む、
ことを特徴とする請求項５記載のエレベータの新規設置仕様設定支援システム。
【請求項１４】
前記新規仕様記入画面提供手段は、ユーザ端末が記入すべき複数の基本的仕様項目、及びこれら基本的仕様項目のうち少なくとも必須記入項目とされている全ての項目の記入後にユーザ端末の操作すべき入力完了ボタンが設けられている基本仕様入力画面を提供するものであり、
前記見積もり送付手段は、前記入力完了ボタンが操作された場合に、前記ユーザ端末が記入した基本的仕様項目に基づいて価格及び工期を算出するものであり、
更に、前記新規仕様記入画面提供手段は、前記見積もり送付手段が算出した価格及び工期が所定の基本的仕様項目と共に表示されている基本仕様結果画面を提供するものである、
ことを特徴とする請求項１記載のエレベータの新規設置仕様設定支援システム。
【請求項１５】
前記見積もり送付手段は、前記算出する価格及び工期を複数種類とすることが可能なものであり、
前記新規仕様記入画面提供手段は、この複数種類の価格及び工期にそれぞれ対応する複数の基本仕様結果画面を提供することが可能なものである、
ことを特徴とする請求項１４記載のエレベータの新規設置仕様設定支援システム。
【請求項１６】
前記基本仕様結果画面には、ユーザ端末が基本的仕様にオプション機能を付加することを希望する場合に操作すべきオプション選択ボタンが設けられており、
前記新規仕様記入画面提供手段は、前記オプション選択ボタンが操作された場合に、ユーザ端末の選択可能な複数の候補オプションが表示されたオプション選択画面を提供するものである、
ことを特徴とする請求項１４又は１５記載のエレベータの新規設置仕様設定支援システム。
【請求項１７】
前記候補オプションは、エレベータメーカ側の推奨する複数の所定オプションが一括して記載されたオプションパッケージの形態、及びユーザ端末が任意に取捨選択できるように記載された標準オプション一覧の形態として表示されたものである、
ことを特徴とする請求項１６記載のエレベータの新規設置仕様設定支援システム。
【請求項１８】
前記オプション選択画面には、ユーザ端末が前記オプション機能の内容を確認する場合に操作すべきオペレーション確認ボタンが設けられており、
前記新規仕様記入画面提供手段は、前記オペレーション確認ボタンが操作された場合に、電子モックアップ画面上でそのオプション機能に基づく動作を表示するものである、
ことを特徴とする請求項１６又は１７記載のエレベータの新規設置仕様設定支援システム。
【請求項１９】
前記エレベータメーカ側の推奨する所定のオプションは、過去の施工実績に基づく価格順、人気ランキング順、納期順のいずれかの順序で記載されたものである、
ことを特徴とする請求項１７又は１８記載のエレベータの新規設置仕様設定支援システム。
【請求項２０】
前記基本仕様結果画面には、ユーザ端末がエレベータの所定個所の意匠を、標準仕様として設定された意匠に代えて特殊な意匠を採用することを希望する場合に操作すべき特殊意匠選択ボタンが設けられており、
前記新規仕様記入画面提供手段は、前記特殊意匠選択ボタンが操作された場合に、ユーザ端末の選択可能な複数の候補意匠が表示された特殊意匠選択画面を提供するものである、
ことを特徴とする請求項１４乃至１９のいずれかに記載のエレベータの新規設置仕様設定支援システム。
【請求項２１】
前記候補意匠は、ユーザ端末に係るユーザ又はその他のユーザが施工主として過去に施工されたものが属する第１のグループと、ユーザ端末に係るユーザが施工主として過去に施工されたもののみが属する第２のグループとに分類されている、
ことを特徴とする請求項２０記載のエレベータの新規設置仕様設定支援システム。
【請求項２２】
前記基本仕様結果画面には、前記所定個所の意匠の色彩を予め設定されたものの中から選択するための色彩選択ボタンが設けられている、
ことを特徴とする請求項２０又は２１記載のエレベータの新規設置仕様設定支援システム。
【請求項２３】
前記色彩選択釦が設けられた前記所定個所の意匠は複数意匠であり、ユーザ端末の前回操作により選択されたこれら複数意匠の色彩と同一の色彩を、ユーザ端末が１度の操作で一括して選択することを可能にする色合わせボタンが前記基本仕様結果画面に設けられている、
ことを特徴とする請求項２２記載のエレベータの新規設置仕様設定支援システム。
【請求項２４】
前記特殊意匠選択画面には、ユーザ端末が前記特殊な意匠の内容を確認する場合に操作すべき意匠確認・検討ボタンが設けられており、
前記新規仕様記入画面提供手段は、前記意匠確認・検討ボタンが操作された場合に、その特殊な意匠の外観、及びその特殊な意匠に係る物品についての所定仕様項目を画面上に表示するものである、
ことを特徴とする請求項２０乃至２３のいずれかに記載のエレベータの新規設置仕様設定支援システム。
【請求項２５】
前記基本仕様入力画面、前記オプション選択画面、及び前記特殊意匠選択画面には、ユーザ端末が各画面における入力又は選択を終了する場合に操作すべき保存・終了ボタンが設けられており、
前記新規仕様記入画面提供手段は、前記保存・終了ボタンが操作された場合に、ユーザ端末がそれまでに行った入力又は選択に基づく仕様が表示されている最終仕様結果画面を提供するものである、
ことを特徴とする請求項２０乃至２４のいずれかに記載のエレベータの新規設置仕様設定支援システム。
【請求項２６】
前記最終仕様結果画面には、ユーザ端末がその表示された内容を最終仕様として決定し、且つ発注意思を示す場合に操作すべき最終仕様決定ボタンが設けられており、
前記新規仕様データ登録手段は、前記最終仕様決定ボタンが操作された場合に、前記ユーザ端末に発注意思が有る旨を最終的に確認するものである、
ことを特徴とする請求項２５記載のエレベータの新規設置仕様設定支援システム。
【請求項２７】
前記最終仕様結果画面には、ユーザ端末が前記基本仕様結果画面、前記オプション選択画面、及び前記特殊意匠選択画面のそれぞれに戻る場合に操作すべき画面戻しボタンが設けられており、
前記新規仕様記入画面提供手段は、前記各画面戻し釦が操作された場合に、これら各画面をユーザ端末に再度提供するものである、
ことを特徴とする請求項２５又は２６記載のエレベータの新規設置仕様設定支援システム。
【発明の詳細な説明】
【０００１】
【発明の属する技術分野】
本発明は、コンピュータシステム及びインターネットを利用して、エレベータの新規設置仕様の設定を支援するシステムに関するものである。
【０００２】
【従来の技術】
エレベータはビル内に設置され、ビル内に居る人間を上下方向に輸送する、所謂「縦の交通移動手段」であり、その設置を行うに際しては、設置スペース、エレベータ速度など多くの仕様がそのビル固有の環境や条件に左右されることになる。
【０００３】
したがって、あるビルにエレベータを新規に設置する場合、従来はエレベータメーカの営業員がユーザを訪問し、ユーザ側の担当者と綿密な打ち合わせを行う必要があった。そして、エレベータメーカの営業員は、この打ち合わせの席上において、カタログや写真により製品例を紹介すると共に、ユーザ側担当者からそのビル固有の環境や条件あるいは希望事項を訊きだしてエレベータの新規仕様の概略を決定するようにしていた。
【０００４】
この後、エレベータメーカの営業員は、決定した新規仕様の概略データを会社に持ち帰って見積もり作業を行い、後日ユーザ側担当者に対して工期が記載されている見積書を提出するようにしていた。そして、ユーザ側担当者がこの見積書に記載された工期及び価格を承認することにより、ユーザからエレベータメーカに対する発注が行われ、エレベータメーカはその後実際にエレベータの設置作業を開始することになる。
【０００５】
【発明が解決しようとする課題】
上記のように、従来のエレベータシステムの販売形態は、エレベータメーカの営業員がユーザ側担当者と直接対面した上で行うことを基本的な形態としていたため、次のような課題を有していた。
【０００６】
▲１▼エレベータメーカ側及びユーザ側共に、打ち合わせの席に臨むまではエレベータ設置仕様に関する具体的な知識を持ち合わせていないために、最終的な設置仕様を決定するまでに両者共に多くの時間と労力を費やす結果となっていた。特に、ユーザ側にとっては、発注仕様を決定する際に、エレベータシステム完成後のイメージを充分につかんでおく必要があるが、イメージをつかむための資料がカタログや写真しかないために充分に具体的なイメージをつかむことができず、そのため慎重な検討を行う余りいたずらに時間を費やすことが多く、更に、発注仕様決定の後に追加仕様を要求することも多く発生していた。
【０００７】
▲２▼ユーザ側は正式発注を行った後に仕様変更を希望することも多くあるが、ユーザ側では設計・製造工程を確認することができないために、納期や価格の変動情況を直ちに知ることができず、仕様変更自体の可否を判別することが困難な場合がある。
【０００８】
▲３▼ユーザ側が互いに競合する複数のエレベータメーカから見積もりを取ることを希望する場合、従来の販売形態は直接対面を基本的な形態としているため、ユーザ側担当者は発注の可能性の低いエレベータメーカの営業員を自社に呼ぶことに心理的に躊躇する傾向がある。このような傾向は、エレベータメーカ側にとっては折角の受注の機会を逃すことにつながり、一方、ユーザ側にとっても自社にとってより好適な見積もりを取得できる機会を逃すことにつながる。
【０００９】
従来のエレベータシステムの販売形態は上記のような課題を有しており、昨今の景気低迷の情況を打開し、エレベータ産業の興隆を図るにはこれらの課題を早急に解決する必要がある。また、従来のエレベータ設置仕様の決定は、ともすれば専門的知識を有するエレベータメーカ側の主導で行われており、ユーザ側の希望する条件が必ずしも充分に反映されているとは言い難いものであった。
【００１０】
本発明はこのような事情に鑑みてなされたものであり、近時のコンピュータ技術の発達に伴って急速に普及したインターネットを有効に利用することにより、エレベータを新規に設置する場合にその仕様の設定を容易且つ確実に行うことができ、もってユーザ及びエレベータメーカ双方の労力を軽減すると共に、ユーザの希望条件を充分に取り入れることが可能なエレベータの新規設置仕様設定支援システムを提供することを目的としている。
【００１１】
上記課題を解決するための手段として、請求項１記載の発明は、エレベータメーカの顧客としてのユーザが用いる複数のユーザ端末と、エレベータメーカが用い、これらのユーザ端末とインターネットを介して接続され、ＰＤＭ機能に基づきエレベータ情報管理データベースの管理を行うエレベータ新規仕様設定用サーバとを備えており、このエレベータ新規仕様設定用サーバは、いずれかのユーザ端末からアクセスがあった場合に、そのユーザ端末に対してＩＤ番号の認証又はＩＤ番号の発行を行うユーザ認証手段と、前記ユーザ認証手段が前記認証又は発行を行った後、所望のエレベータ新規仕様を記入し得る画面をユーザ端末に対して提供する新規仕様記入画面提供手段と、前記ユーザ端末が前記新規仕様記入画面提供手段の提供した画面に新規仕様を記入してきた場合に、エレベータの価格及び工期を前記エレベータ情報管理データベースを参照して演算し、この演算に基づく見積もり結果を前記ユーザ端末に送付すると共に、発注意思を問い合わせる見積もり送付手段と、前記見積もり送付手段が前記見積もり結果を送付した後、前記ユーザ端末から発注意思が有る旨の最終的確認を得た場合に、前記エレベータ情報管理データベースにエレベータの新規設置に関して受注した旨及びその新規仕様に関するデータを登録する新規仕様データ登録手段と、を有するものであり、しかも、前記エレベータ新規仕様設定用サーバは、前記新規仕様データ登録手段が前記受注した旨を登録した後のユーザの要求に応じ、前記エレベータ情報管理データベースに格納されている工程管理データに基づき、エレベータ工事進捗状況を示す画面をユーザに対して提供するものである、ことを特徴とする。
【００１２】
請求項２記載の発明は、請求項１記載の発明において、前記新規仕様記入画面提供手段は、エレベータの基本的な仕様を文字により記入するための基本仕様入力画面と、この基本仕様入力画面の記入結果に基づきエレベータの各個所の全体的構成及び部分的構成をコンピュータグラフィックスを用いて表す電子モックアップ画面とを提供するものである、ことを特徴とする。
【００１３】
請求項３記載の発明は、請求項１又は２記載の発明において、前記新規仕様データ登録手段は、前記ユーザ端末に前記発注意思の有無を問い合わせる場合に、更に別の新規仕様の記入を要求するか否かについて問い合わせ、要求するとの回答を前記ユーザ端末から得た場合には、再度前記新規仕様記入画面提供手段に対して前記画面を提供すべきことを指令するものである、ことを特徴とする。
【００１４】
請求項４記載の発明は、請求項１乃至３のいずれかに記載の発明において、前記新規仕様記入画面提供手段は、所定の検索項目の記入に基づき過去の受注物件に関する一覧表示画面を提供し、この一覧表示画面上で選択された受注物件の仕様データが流用可能な新規仕様データとして表示された画面を前記ユーザ端末に対して提供するものであり、前記見積もり送付手段は、前記ユーザ端末が前記過去の受注物件の流用可能な仕様データを新規仕様データとして前記画面に記入してきた場合に、流用の程度に応じて割り引きした見積もりを行うものである、ことを特徴とする。
【００１５】
請求項５記載の発明は、請求項２記載の発明において、前記新規仕様記入画面提供手段は、前記電子モックアップ画面上でエレベータの各部のシミュレーション動作を表示可能なものである、ことを特徴とする。
【００１６】
請求項６記載の発明は、請求項２記載の発明において、前記新規仕様記入画面提供手段は、前記電子モックアップ画面上でエレベータの各部を３次元的に表し、更に３次元空間内でエレベータの各部を自在に回転させることにより所望の部位を所望の角度から見ることができるように表示することが可能なものである、ことを特徴とする。
【００１７】
請求項７記載の発明は、請求項２記載の発明において、前記新規仕様記入画面提供手段が前記エレベータの各個所の全体的構成を表す電子モックアップ画面は全体のイメージを示す全体イメージ画面であり、また、部分的構成を表す電子モックアップ画面は用品ユニットのイメージを示す用品ユニットイメージ画面、及び用品単体のイメージを示す用品イメージ画面である、ことを特徴とする。
【００１８】
請求項８記載の発明は、請求項２記載の発明において、前記新規仕様記入画面提供手段は、前記エレベータの各個所の全体的構成又は部分的構成に用いられる要素に標準仕様品以外の特殊仕様品が含まれている場合に、その要素が特殊仕様品である旨を画面上に表示するものである、ことを特徴とする。
【００１９】
請求項９記載の発明は、請求項２記載の発明において、前記新規仕様記入画面提供手段が提供する基本仕様入力画面には、不可欠な必要事項が記入される必須仕様項目と、それ以外の付加的事項が記入される付加仕様項目とが色分け表示される、ことを特徴とする。
【００２０】
請求項１０記載の発明は、請求項４記載の発明において、前記新規仕様記入画面提供手段は、前記一覧表示画面に過去の受注物件のリストを表示する場合に、前記アクセスがあったユーザ端末に係るユーザの物件と、その他のユーザに係る物件とを分けて表示し、その他のユーザに係る物件のうち仕様データを公開することが禁止されているものについては画面上での表示を行わないものである、ことを特徴とする。
【００２１】
請求項１１記載の発明は、請求項１乃至１０のいずれかに記載の発明において、前記新規仕様データ登録手段が受注登録した新規仕様に関するデータを、前記ユーザ端末の要求に基づき表示する登録仕様データ表示手段を有する、ことを特徴とする。
【００２２】
請求項１２記載の発明は、請求項１乃至１１のいずれかに記載の発明において、前記新規仕様記入画面提供手段は、前記新規仕様データ登録手段による受注登録が既に行われているユーザ端末が受注時の仕様の内容を変更することを希望した場合には、前記所望のエレベータ新規仕様を記入し得る画面をユーザ端末に対して提供するものであり、前記見積もり送付手段は、前記ユーザが前記画面に記入した変更仕様に基づきエレベータの価格及び工期の演算を再度行い、変更仕様に基づく価格及び工期の変動状況をそのユーザ端末に報告すると共に、変更仕様の内容を実施するか否かについて問い合わせるものであり、前記新規仕様データ登録手段は、前記ユーザ端末から変更仕様の内容を実施する旨の通知を受けた場合に、前記エレベータ情報管理データベースに新規仕様の内容を変更したこと、及びその変更仕様に関するデータを登録するものである、ことを特徴とする。
【００２３】
請求項１３記載の発明は、請求項５記載の発明において、前記シミュレーション動作が、エレベータかご内又はエレベータ乗り場付近に居るエレベータ利用者の視点から見たバーチャル・ビュー・シミュレーション動作を含む、ことを特徴とする。
【００２４】
請求項１４記載の発明は、請求項１記載の発明において、前記新規仕様記入画面提供手段は、ユーザ端末が記入すべき複数の基本的仕様項目、及びこれら基本的仕様項目のうち少なくとも必須記入項目とされている全ての項目の記入後にユーザ端末の操作すべき入力完了ボタンが設けられている基本仕様入力画面を提供するものであり、前記見積もり送付手段は、前記入力完了ボタンが操作された場合に、前記ユーザ端末が記入した基本的仕様項目に基づいて価格及び工期を算出するものであり、更に、前記新規仕様記入画面提供手段は、前記見積もり送付手段が算出した価格及び工期が所定の基本的仕様項目と共に表示されている基本仕様結果画面を提供するものである、ことを特徴とする。
【００２５】
請求項１５記載の発明は、請求項１４記載の発明において、前記見積もり送付手段は、前記算出する価格及び工期を複数種類とすることが可能なものであり、前記新規仕様記入画面提供手段は、この複数種類の価格及び工期にそれぞれ対応する複数の基本仕様結果画面を提供することが可能なものである、ことを特徴とする。
【００２６】
請求項１６記載の発明は、請求項１４又は１５記載の発明において、前記基本仕様結果画面には、ユーザ端末が基本的仕様にオプション機能を付加することを希望する場合に操作すべきオプション選択ボタンが設けられており、前記新規仕様記入画面提供手段は、前記オプション選択ボタンが操作された場合に、ユーザ端末の選択可能な複数の候補オプションが表示されたオプション選択画面を提供するものである、ことを特徴とする。
【００２７】
請求項１７記載の発明は、請求項１６記載の発明において、前記候補オプションは、エレベータメーカ側の推奨する複数の所定オプションが一括して記載されたオプションパッケージの形態、及びユーザ端末が任意に取捨選択できるように記載された標準オプション一覧の形態として表示されたものである、ことを特徴とする。
【００２８】
請求項１８記載の発明は、請求項１６又は１７記載の発明において、前記オプション選択画面には、ユーザ端末が前記オプション機能の内容を確認する場合に操作すべきオペレーション確認ボタンが設けられており、前記新規仕様記入画面提供手段は、前記オペレーション確認ボタンが操作された場合に、電子モックアップ画面上でそのオプション機能に基づく動作を表示するものである、ことを特徴とする。
【００２９】
請求項１９記載の発明は、請求項１７又は１８記載の発明において、前記エレベータメーカ側の推奨する所定のオプションは、過去の施工実績に基づく価格順、人気ランキング順、納期順のいずれかの順序で記載されたものである、ことを特徴とする。
【００３０】
請求項２０記載の発明は、請求項１４乃至１９のいずれかに記載の発明において、前記基本仕様結果画面には、ユーザ端末がエレベータの所定個所の意匠を、標準仕様として設定された意匠に代えて特殊な意匠を採用することを希望する場合に操作すべき特殊意匠選択ボタンが設けられており、前記新規仕様記入画面提供手段は、前記特殊意匠選択ボタンが操作された場合に、ユーザ端末の選択可能な複数の候補意匠が表示された特殊意匠選択画面を提供するものである、ことを特徴とする。
【００３１】
請求項２１記載の発明は、請求項２０記載の発明において、前記候補意匠は、ユーザ端末に係るユーザ又はその他のユーザが施工主として過去に施工されたものが属する第１のグループと、ユーザ端末に係るユーザが施工主として過去に施工されたもののみが属する第２のグループとに分類されている、ことを特徴とする。
【００３２】
請求項２２記載の発明は、請求項２０又は２１記載の発明において、前記基本仕様結果画面には、前記所定個所の意匠の色彩を予め設定されたものの中から選択するための色彩選択ボタンが設けられている、ことを特徴とする。
【００３３】
請求項２３記載の発明は、請求項２２記載の発明において、前記色彩選択釦が設けられた前記所定個所の意匠は複数意匠であり、ユーザ端末の前回操作により選択されたこれら複数意匠の色彩と同一の色彩を、ユーザ端末が１度の操作で一括して選択することを可能にする色合わせボタンが前記基本仕様結果画面に設けられている、ことを特徴とする。
【００３４】
請求項２４記載の発明は、請求項２０乃至２３のいずれかに記載の発明において、前記特殊意匠選択画面には、ユーザ端末が前記特殊な意匠の内容を確認する場合に操作すべき意匠確認・検討ボタンが設けられており、前記新規仕様記入画面提供手段は、前記意匠確認・検討ボタンが操作された場合に、その特殊な意匠の外観、及びその特殊な意匠に係る物品についての所定仕様項目を画面上に表示するものである、ことを特徴とする。
【００３５】
請求項２５記載の発明は、請求項２０乃至２４のいずれかに記載の発明において、前記基本仕様入力画面、前記オプション選択画面、及び前記特殊意匠選択画面には、ユーザ端末が各画面における入力又は選択を終了する場合に操作すべき保存・終了ボタンが設けられており、前記新規仕様記入画面提供手段は、前記保存・終了ボタンが操作された場合に、ユーザ端末がそれまでに行った入力又は選択に基づく仕様が表示されている最終仕様結果画面を提供するものである、ことを特徴とする。
【００３６】
請求項２６記載の発明は、請求項２５記載の発明において、前記最終仕様結果画面には、ユーザ端末がその表示された内容を最終仕様として決定し、且つ発注意思を示す場合に操作すべき最終仕様決定ボタンが設けられており、前記新規仕様データ登録手段は、前記最終仕様決定ボタンが操作された場合に、前記ユーザ端末に発注意思が有る旨を最終的に確認するものである、ことを特徴とする。
【００３７】
請求項２７記載の発明は、請求項２５又は２６記載の発明において、前記最終仕様結果画面には、ユーザ端末が前記基本仕様結果画面、前記オプション選択画面、及び前記特殊意匠選択画面のそれぞれに戻る場合に操作すべき画面戻しボタンが設けられており、前記新規仕様記入画面提供手段は、前記各画面戻し釦が操作された場合に、これら各画面をユーザ端末に再度提供するものである、ことを特徴とする。
【００３８】
【発明の実施の形態】
図１は、本発明の実施形態に係るエレベータの新規設置仕様設定支援システムの構成を示すブロック図である。エレベータ新規仕様設定用サーバ１と複数のユーザ端末２とはインターネット３を介して接続されている。エレベータ新規仕様設定用サーバ１は、ユーザ端末２からのアクセスに応じるためエレベータ情報管理データベース４に対してデータの読み出し及び書き込みを行うなど、このエレベータ情報管理データベース４の管理を行っている。
【００３９】
エレベータ新規仕様設定用サーバ１は、ＰＤＭ（プロダクツ・データ・マネージメント）システム５を有しており、更にこのＰＤＭシステム５内にユーザ認証手段６、新規仕様記入画面提供手段７、見積もり送付手段８、及び新規仕様データ登録手段９を有している。
【００４０】
ユーザ認証手段６は、ユーザ端末２からのアクセスに応じてＩＤ番号の発行やＩＤ番号の認証を行うものである。新規仕様記入画面提供手段７は、ユーザ認証手段６がＩＤ番号を認証したユーザ端末２に対しエレベータ新規設置のために必要な仕様データを記入するための画面を提供するものである。見積もり送付手段８は、ユーザ端末２が上記の画面に記入してきた新規仕様データに基づきエレベータの価格及び工期を演算し、この演算に基づく見積もり結果をユーザ端末２に送付するものである。新規仕様データ登録手段９は、見積もり送付手段８がユーザ端末２に見積もり結果を送付した後、発注意思の有無を問い合わせるものであり、発注意思が有る旨の最終的確認を得た場合に、エレベータ情報管理データベース４に受注した旨、及びその新規仕様に関するデータを登録するものである。
【００４１】
図２は、図１におけるエレベータ新規仕様設定用サーバ１及びエレベータ情報管理データベース４の詳細な構成を示すブロック図である。エレベータ新規仕様設定用サーバ１は、図１においては図示しなかったが、実は全社的情報サーバ１０及び局所的情報サーバ１１により構成されており、ＰＤＭシステム５はこの全社的情報サーバ１０内に具備された構成となっている。そして、局所的情報サーバ１１は、本社サーバ１２、工場サーバ１３、フィールドサーバ１４、及び海外現法サーバ１５などの複数のサーバにより構成されている。全社的情報サーバ１０は、局所的情報サーバ１１を構成する各サーバのアドレス情報を記憶しており、各サーバを制御することによりユーザ端末２側からのアクセス要求に応じるなど、エレベータ新規仕様設定用サーバ１としての全体的な制御を司るものである。
【００４２】
エレベータ情報管理データベース４は、符号１６〜３１で示す複数のデータベースにより構成されている。そして、本社サーバ１２は、顧客データベース１６、発番データベース１７、仕様データベース１８、価格データベース１９を管理するようになっている。
【００４３】
顧客データベース１６には、各ユーザ毎のセキュリティ管理のためのＩＤ番号及びパスワードデータが格納されている。また、ＩＤ番号のサブファイルとしてユーザ毎に仕向先別の建物情報群（例えば、○○ビル、○○マンション等）のファイルが作成されており、ＰＤＭシステム５はこれらの建物情報群に対する管理もできるようになっている。
【００４４】
発番データベース１７には、各エレベータ毎にエレベータメーカが発行した発番（製造番号）についてのデータが格納されている。エレベータメーカは、この発番をキーワードとして以降の説明における各種データに対してアクセスすることができる。
【００４５】
仕様データベース１８には、エレベータの用途（乗用、住宅用、寝台用等）、定員（６人、９人、１１人、…等）、及び停止階床数などの基本的仕様、並びに付加仕様（例えば、車椅子仕様、地震管制仕様等）等のデータが格納されている。
【００４６】
価格データベース１９には、上記の基本的仕様から確定される基本価格や各種の付加仕様価格、あるいは更に、ユーザ固有の特殊仕様であって過去に納品済みの既納品価格などのデータが格納されている。
【００４７】
工場サーバ１３は、ＮＥＴ−ＣＯＳＴデータベース２０、３Ｄ−ＣＡＤデータベース２１、電気ＣＡＤデータベース２２、出図手配データベース２３、設計ノウハウデータベース２４、製造データベース２５、工程データベース２６、調達データベース２７を管理するようになっている。
【００４８】
ＮＥＴ−ＣＯＳＴデータベース２０には、各エレベータタイプ毎にエレベータメーカが仕入れる各種部品、ユニット、装置等のトータル基本ネット価格や製造コストデータ等が格納されている。
【００４９】
３Ｄ−ＣＡＤデータベース２１には、３Ｄ−ＣＡＤデータ及び基本ＢＯＭデータが格納されている。すなわち、各種部品、ユニット、装置などの個別ＣＡＤデータは、後述する電子モックアップ画面上でモックアップされる。そして、総アセンブリされたエレベータのかご室最終形や出入り口の意匠が基本ＢＯＭデータとして格納されている。また、これらの総アセンブリデータは、各部品を選択することによりモデリングできるようになっている。
【００５０】
電気ＣＡＤデータベース２２には、各部品、ユニット、装置などの定格情報や耐用寿命年数、あるいは電気特性についての最大定格や、機械特性などのデータが格納されている。
【００５１】
出図手配データベース２３には、上記の発番データベース１７に格納されている各エレベータ毎の発番を基に顧客仕様に応じて手配された部品等についての図面番号等が格納されている。
【００５２】
設計ノウハウデータベース２４には、機械構成部品、ユニット、電気品等についての設計基準データが格納されている。これらは何れもメーカ側の標準エレベータを構成し得る部品についてのデータであり、寸法データ、重量、他の部品との取付方法、最大適用仕様を超えた場合の制約条件、仕様などの各種データである。
【００５３】
製造データベース２５には、エレベータメーカのトレーサアビリティに必要な情報として、製造日、試験日、製造出荷日、試験番号、プリント基板やソフトウエア等のバージョンデータ等が格納されている。
【００５４】
工程データベース２６には、各製造、サイト工事、納入引き渡し迄の標準リードタイムデータが工程管理データとして格納されている。ＰＤＭシステム５はこの工程管理データを基に仕様決定日などをキーインして工程表が作成することができる。この工程管理データは、デイリー処理によってタイムリーなデータ更新がなされ、随時物件毎の設計・製造進捗状況を確認することができる。また、この工程データベース２６は、仕様決定後にユーザ要求に基づく仕様変更が発生した場合の標準対応リードタイムデータを備えており、ＰＤＭシステム５は工程変更についても管理できるようになっている。
【００５５】
調達データベース２７には、各種部品、ユニットなどの調達先やリアルタイムな在庫情報、手配時のリードタイムなどの情報が格納されている。また、調達先から部品生産廃止情報などが流れた場合、ＰＤＭシステム５はタイムリーにこの情報を検索できるようになっている。この情報は一般情報としてインターネット３を介して公開可能なものである。
【００５６】
フィールドサーバ１４は、保守データベース２８、品質データベース２９、トラブルデータベース３０を管理するようになっている。
【００５７】
保守データベース２８には、エレベータメーカの保守部門等がユーザと保守契約を結んだ場合にその契約内容が登録されるようになっている。また、エレベータシステムを納入して一般使用が開始された後は、各エレベータの稼働状況（運転時間、運転回数等）、部品交換基準データ、部品の寿命データ、及び保守履歴データ（いつどのような部品を交換してその交換回数は何回かなどの各エレベータの大まかな故障情報）等が格納されるようになっている。そして、ユーザと保守部門との間の保守契約において保守部門が立案した保守プランデータ、及びこれに関する保守料データ等も登録されている。また、部品単位での保守品価格とその工事費に関する価格データも格納されるようになっている。更に、この保守データベース２８には、ユーザ自身でエレベータのメインテナンスを行うことができるように、日常の手入れ方法などがオンラインマニュアルデータとして格納されている。
【００５８】
品質データベース２９には、ロープ式エレベータ、油圧式エレベータ、あるいは超々高速エレベータや中低速エレベータなどいったエレベータタイプ別の故障情報や、マイナーチェンジ情報、トレーサアビリティ管理情報、設計変更管理情報等が格納されている。
【００５９】
トラブルデータベース３０には、エレベータ毎のトラブル情報がデータ化されて格納されている。例えば、トラブル発生の日時、トラブルモード（現象、原因）、運転状況（運転方向、かご位置、速度状態、呼び登録の有無等）、かご内状況、トラブル対応者等の情報である。
【００６０】
海外現法サーバ１５は、総合データベース３１を管理するようになっている。この総合データベース３１には、エレベータメーカの海外現地法人における総合データが格納されている。総合データとは、上記のデータベース１６〜３０に格納された各データに対応する種々のデータをまとめたものである。つまり、総合データベース３１は、データベース１６〜３０のミニチュア版ともいえるものである。
【００６１】
図３は、エレベータ情報管理データベース４の階層構造を示す説明図である。この図に示すように、各物件Ｘ１〜Ｘｎ毎に種々のデータが階層化されて格納されている。第１階層は基本的なイベント項目に分類されており、第２階層以降はこのイベント項目に属する項目を細分類している。図示した例は、第１階層の「仕様」という項目が第２階層で「標準仕様」及び「付加仕様」に分類され、この「標準仕様」が第３階層以降で更に細かく分類されたものである。
【００６２】
図４は、上記のような階層構造を有するエレベータ情報管理データベース４内において、例えば仕様データベース１８の階層構造を更に示したものである。この図に示すように、第１階層はエレベータの用途別に分類されており、第２階層は各種の用品別に分類されており、第３階層は用品を構成するユニット別に分類されており、第４階層はユニットを構成する部品別に分類されており、以下第５階層以降も同様に細分類されている。そして、これら細分類された項目は、ユーザの仕様に応じて必要となるエレベータ構成部品を各階層から検索／表示できるように関連付けされて管理されており、最新の情報が格納されるようになっている。
【００６３】
次に、図１の動作を、図６〜図１７の各図を参照しつつ、図５のフローチャートに基づき順次説明する。エレベータ新規仕様設定用サーバ１にいずれかのユーザ端末２からアクセスがあると、ユーザ認証手段６がユーザ認証処理を行う（ステップ１）。ここで、このユーザ認証手段６が行うユーザ認証処理の内容を図６のフローチャートに基づき説明する。
【００６４】
ユーザ認証手段６は、ユーザ端末２からアクセスがあると、ユーザＩＤ認証画面Ｐ６０１をユーザ端末２側に提供する。ユーザが既に本システムの登録会員である場合は、ユーザ端末２の画面のＩＤ及びＰＡＳＳＷＯＲＤの右側のボックスにＩＤ番号及びパスワードを自ら記入する。いま、ユーザがはじめてアクセスを行った者であるとすると、このユーザは「仮ＩＤ発行」と書かれたボタンをクリックする。すると、仮ＩＤ発行のための画面Ｐ６０２が表示されるので、ユーザは名前やメールアドレスなどの必要事項を記入する。そして、これらの必要事項データをサーバ１側に送信すると、ユーザ認証手段６により仮ＩＤ及びパスワードが発行され、これらを知らせる画面Ｐ６０３がユーザ端末２の画面に表示される。
【００６５】
このようにして仮ＩＤ及びパスワードが発行された後、ユーザは画面Ｐ６０１を再度呼び出してＩＤ及びＰＡＳＳＷＯＲＤの右側のボックスに仮ＩＤ番号及びパスワードを記入した後、「実行」ボタンをクリックする。すると、ユーザ認証手段６はこのＩＤ及びパスワードが正しいものであるか否かを判別する（ステップ６０１）。ユーザ認証手段６は、ＩＤ及びパスワードが正しくなければ、その旨を通知する画面Ｐ６０７をユーザ端末２の画面に表示させるが、正しいものであれば、次にこのＩＤが仮ＩＤ又は正規のＩＤのいずれであるかを判別する（ステップ６０２）。
【００６６】
ユーザ認証手段６は、この判別結果が仮ＩＤの場合にはユーザがエレベータ見積もりを依頼するための画面Ｐ６０４を表示させる。そして、ユーザがこの画面上で「エレベータ見積もり」の文字をクリックすると、サーバ１側での見積もり処理が開始される。この後、ユーザがこの見積もりに対して発注を行うと、ユーザ認証手段６は正規のＩＤをこのユーザに対して発行するようになっている。一方、ユーザ認証手段６が正規ＩＤと判別した場合には、登録会員であるユーザが見積もり又はその他の処理を依頼するための画面Ｐ６０５を表示させるようにする。
【００６７】
画面Ｐ６０５における「物件コード」とは、発番データベース１７が格納しているデータである発番すなわちエレベータの製造番号のことを意味している。登録会員であるユーザが現在発注済みの物件を持っている場合、その物件コードを画面Ｐ６０５上のボックス内に記入すると、現在の状況に応じて「物件情報」のうちの「進捗・工程」、「発注情報変更」のうちのいずれか又は双方が表示される。「進捗・工程」とはエレベータ設置工事の進捗状況や工事日程を問い合わせる場合にクリックする文字であり、「発注情報変更」とは既に発注した物件の仕様を変更したい場合にクリックする文字である。例えば、ユーザが当該物件を発注して間もない場合には、未だ工事が開始されていないので「発注情報変更」のみが表示され、ユーザが当該物件を発注してある程度の期間経過した場合には、既に工事が開始されているので「進捗・工程」及び「発注情報変更」の双方が表示され、ユーザが当該物件を発注してから相当な期間が経過し工事完了が近づいている場合には、もはや仕様変更は不可であるため「進捗・工程」のみが表示される。
【００６８】
なお、画面Ｐ６０５において、ユーザが物件コードを記入した場合には「エレベータ見積もり」の文字は表示されず、「物件情報」及びその下側の文字だけが表示される。一方、ユーザが物件コードを記入していない場合には「エレベータ見積もり」の文字だけが表示され（ユーザがこれをクリックすると新規の見積もりが開始される）、「物件情報」は表示されない。
【００６９】
また、ユーザがパスワードを変更しようとする場合には、画面Ｐ６０１のＩＤ及びＰＡＳＳＷＯＲＤの右側のボックスにＩＤ番号及びパスワードを記入した後、「ＰＡＳＳＷＯＲＤ変更」ボタンをクリックする。すると、ユーザ認証手段６はこのＩＤ番号及びパスワードの正否を判別し（ステップ６０３）、正しければ画面Ｐ６０６で新たなパスワードを表示し、間違っていればその旨を画面Ｐ６０７で表示する。
【００７０】
さて、図５に戻って説明を続けると、いま仮ＩＤを発行してもらったユーザが図６における画面Ｐ６０４の「エレベータ見積もり」の文字をクリックしたとすると、新規仕様記入画面提供手段７はユーザが新規設置仕様を記入するために必要な一連の画面を提供する（ステップ２）。
【００７１】
すなわち、新規仕様記入画面提供手段７は、まず、図７に示すような画面７０１をユーザ端末２の画面に表示させる。この画面には、「新規入力」ボタン７０２と「既設物件参照／流用」ボタン７０３が設けられている。ユーザは、エレベータメーカがエレベータ情報管理データベース４に保持している既設物件の仕様データを参照又は流用することにより仕様を設定する場合には「既設物件参照／流用」ボタン７０３をクリックすればよく、一方、全く白紙の状態から仕様を設定する場合には「新規入力」ボタン７０２をクリックすればよい。そして、新規仕様記入画面提供手段７は、この画面７０１上においてユーザがいずれのボタンをクリックしたのかを判別する（ステップ３）。
【００７２】
いま、ユーザが「新規入力」ボタン７０２の方をクリックしたとすると、新規仕様記入画面提供手段７はユーザ端末２に図８に示す基本仕様入力画面８０１を表示させるようにする。この画面には、「型式」、「エレベータ用途」、「定員」、「速度〔ｍ／ｍｉｎ〕」、などの必須仕様項目が例えば黒色で表示され、また、付加的仕様項目である「希望日限」が例えば青色で表示されている。ユーザは、これらの項目をスクロールキーを操作することにより埋めて行き、全ての必須仕様項目を埋めた後、「選択完了」ボタンをクリックする（ステップ４）。
【００７３】
すると、新規仕様記入画面提供手段７は、図９に示すような電子モックアップ画面９０１をユーザ端末２に表示する。この電子モックアップ画面９０１は、全体イメージ画面９０２、用品ユニットイメージ画面９０３、及び用品イメージ画面９０４により構成されている。ユーザは、この電子モックアップ画面９０１上に必要な仕様データの記入を行うようにする（ステップ５）。
【００７４】
全体イメージ画面９０２は、エレベータの各主要個所の全体イメージを３次元的に表したものであり、図示した例ではかご及びその周辺部分が３次元空間上に表されている。全体イメージ画面９０２には、物件情報表示欄９０５が設けられており、この欄内には「製造番号」、「物件名」、「かご」、「ホールボタン」、「巻上機」等が表示されるようになっている。但し、いまの場合、ユーザは図７において「新規入力」ボタン７０２の方をクリックしているので、「製造番号」は表示されず、新規仕様記入画面提供手段７は、図８の基本仕様入力画面８０１上でユーザが記入した基本仕様データに基づき、仕様データベース１８及び３Ｄ−ＣＡＤデータベース２１等から最も近いデータを本社サーバ１２及び工場サーバ１３を介して取り出して、図示したようにかご及びその周辺部分を表示することになる。「同一仕様」ボタン９０６、及び「変更」ボタン９０７は、ユーザが図７において「既設物件参照／流用」ボタン７０３をクリックした場合に用いるものであり、これについては後述する。また、「戻る」ボタン９０８は、前の画面に戻る場合に用いるボタンである。
【００７５】
全体イメージ画面９０２の下部には「シミュレーション」ボタン９０９が設けられており、ユーザがこの「シミュレーション」ボタン９０９をクリックすると、画面上に表示されているかごが実際の動きと同様のシミュレーション動作を行う。つまり、全体イメージ画面９０２に写し出されたかごが昇降路内を上下動し、各階でドアを開閉する様子がユーザに示される。
【００７６】
「シミュレーション」ボタン９０９の隣には「回転」ボタン９１０が設けられており、ユーザがこの「回転」ボタン９１０をクリックした後、マウスボタンを押した状態でカーソルを移動させることにより、全体イメージ画面９０２内のかご及びその周辺部分を所望の角度だけ回転させることができる。つまり、ユーザは、図示されたような背面方向からばかりでなく、正面方向又は側面方向あるいは上面方向又は底面方向などのあらゆる方向からかご及びその周辺部分を観察することができる。したがって、ユーザはこの全体イメージ画面９０２によってエレベータの主要個所の全体イメージを具体的且つ詳細に把握することが可能になる。「回転」ボタン９１０の隣には特殊リスト表示欄９１１が設けられているが、これは用品ユニットイメージ画面９０３又は用品イメージ画面９０４において、ユーザが標準品以外の特殊な用品ユニット又は用品を選択した場合にそのユニット名、又は用品名を表示してユーザに対して注意を喚起するためのものである。
【００７７】
用品ユニットイメージ画面９０３は、全体イメージ画面９０２において表示された主要個所を構成する用品ユニットのイメージを３次元的に表したものである。この用品ユニットイメージ画面９０３には、各種の用品ユニットについての用品ユニットタグ９１２が付されており、ユーザはこのタグをクリックすることにより全体イメージ画面９０２内の所望のユニットを表示することができる。あるいは、全体イメージ画面９０２において、表示しようとするユニット部分にカーソルを移動させてクリックすることにより用品ユニットイメージ画面９０３にその用品ユニットを表示させることもできる。図示した例では、かごの用品ユニットが表示されている。
【００７８】
用品ユニットイメージ画面９０３内には、また、仕様項目表示欄９１３が設けられており、画面イメージとリンクした各種の仕様項目についての標準仕様寸法が示されている。そして、用品ユニットイメージ画面９０３内には、標準品以外で選択可能な特殊用品ユニット又は用品の名称を示した特殊リスト表示欄９１４が設けられており、ユーザはこの特殊リスト表示欄９１４に示されている名称をクリックすることにより、その特殊仕様の用品ユニット又は用品を選択することができる。但し、この場合、特殊仕様のものが選択されたことにつきユーザの注意を喚起するために、全体イメージ画面９０２内の特殊リスト表示欄９１１にその名称が表示されると共に、全体イメージ画面９０２上ではその特殊仕様品の表示が拘束される。なお、ユーザは仕様項目表示欄９１３内の寸法を自己の希望する値に自由に変更することができるが、その寸法が標準仕様から外れた場合には特殊リスト表示欄９１４にその寸法が特殊仕様の寸法であることが表示される。
【００７９】
用品イメージ画面９０４は、全体イメージ画面９０２において表示された主要個所を構成する用品を２次元的な簡単な図により示すものである。この用品イメージ画面９０４には各種の用品についての用品タグ９１５が付されており、ユーザは所望の用品に係るタグをクリックすることにより、あるいは全体イメージ画面９０２に写し出された所望の用品部分をクリックすることにより、その用品を用品イメージ画面９０４内に示すことができる。また、この用品イメージ画面９０４にも特殊リスト表示欄９１６が設けられており、標準品以外で選択可能な特殊用品の名称が表示されている。
【００８０】
ユーザは、このような全体イメージ画面９０２、用品ユニットイメージ画面９０３、及び用品イメージ画面９０４を用いてかご及びその周辺部分の仕様を決定すると、次に、全体イメージ画面９０２における物件情報表示欄９０５内の「ホールボタン」の文字をクリックする。そして、かごの場合と同様にして、全体イメージ画面９０２、用品ユニットイメージ画面９０３、及び用品イメージ画面９０４を用いて詳細な仕様を決定していくことができる。そして、全ての仕様を決定し、充分に検討した後、仕様入力完了ボタン９１７をクリックする。
【００８１】
ユーザが仕様入力完了ボタン９１７をクリックすると電子モックアップ画面９０１に記入された新規仕様データは、ユーザ端末２側から見積もり送付手段８に出力される。そして、見積もり送付手段８はこの入力した新規仕様データに基づき見積もり処理を開始してエレベータの価格及び工期を演算し、この演算に基づく見積もり結果をユーザ端末２側に送付して通知する（ステップ１０）。
【００８２】
図１０は、このように見積もり送付手段８からユーザ端末２に送付され、ユーザ端末２に表示される価格工程見積もり詳細画面１００１の説明図である。この価格工程見積もり詳細画面１００１には価格表示欄１００２及び工期表示欄１００３が設けられている。価格表示欄１００２には、各主要個所回りの価格及びこれらの合計価格のみが表示されているが、ユーザは「仕様詳細表示」ボタン１００４をクリックすることにより、より詳細な価格の内訳を知ることができる。
【００８３】
工期表示欄１００３には各主要個所の工期の日限が記載されている。各日限には特記欄が設けられており、日限が遅延する予定の場合等に遅延する理由等が記載できるようになっている。ユーザは「工程表」ボタン１００５をクリックすることにより、図１１に示すように、この工期表示欄１００３の内容をバーススケジュール形式で表した工程表１１０２を含む工程表表示画面１１０１で表示することができる。
【００８４】
この工程表表示画面１１０１において、「巻上機」の「５月」の欄が中央位置まで黒くなっているのは、現在の日付が５月１５日であるため、この中央位置まで工程が進行していることを示している。また、「カゴ枠」及び「カゴ室」の「９月」の欄」が黒くなっているのは、この実施形態ではユーザが図８の基本仕様入力画面８０１において、工事終了の希望日限を８月３１日と記入したものと想定しており、希望日限を超過する部分を容易に認識できるようにするためである。そして、ユーザはこの画面における「出力」ボタン１１０３をクリックすることにより、この工程表表示画面１１０１の内容をプリントアウトすることができる。なお、この工程表１１０２は、市販されている表計算ソフトのファイル形式で別途保存することも可能になっている。
【００８５】
価格工程見積もり詳細画面１００１の下部には、ユーザの発注意思の有無を見積もり送付手段８が確認するため（ステップ１１）、「発注致しますか」という文章が表示されており、その横に「ＹＥＳ」ボタン１００６及び「ＮＯ」ボタン１００７が設けられている。ユーザは、表示された価格及び工期を了解できる場合は「ＹＥＳ」ボタン１００６をクリックして発注の申込みを行うことができ、一方、了解できない場合は「ＮＯ」ボタン１００７をクリックして発注する意思がないことを表明することができる。
【００８６】
新規仕様データ登録手段９は、価格工程見積もり詳細画面１００１において、ユーザが「ＹＥＳ」ボタン１００６又は「ＮＯ」ボタン１００７のいずれをクリックするかを判別している（ステップ１２）。そして、「ＹＥＳ」ボタン１００６がクリックされた場合、新規仕様データ登録手段９は、エレベータ情報管理データベース４の顧客データベース１６にそのユーザから受注した旨を登録し、また、発番を発行してこれを発番データベース１７に登録すると共に、その発番に係る新規仕様データを仕様データベース１８に登録するなど、必要なデータの登録をその他のデータベースに対して行うようにする（ステップ１３）。
【００８７】
ユーザが価格工程見積もり詳細画面１００１において「ＹＥＳ」ボタン１００６をクリックし、新規仕様データ登録手段９がエレベータ情報管理データベース４の各データベースに必要なデータを登録した後、新規仕様データ登録手段９は、図１２に示したような仕様設定完了表示画面１２０１をユーザ端末２に表示させるようにする。この仕様設定完了表示画面１２０１には、見積もり書表示ボタン１２０２、据付図表示ボタン１２０３、意匠図表示ボタン１２０４、及び３Ｄモデル表示ボタン１２０５の各ボタンが設けられており、発注を行ったユーザはこれらのボタンをクリックすることにより仕様の詳細を確認することができるようになっている。
【００８８】
ところで、図１０の価格工程見積もり詳細画面１００１は、ユーザに価格表示欄１００２及び工期表示欄１００３を呈示すると共に、これに対して「発注いたしますか」という問いかけを行い、「ＹＥＳ」又は「ＮＯ」の二者択一を要求するものであったが、ユーザ側の選択の幅をより広げ、ユーザが更に別の仕様を希望できるようにすることも可能である。
【００８９】
図１３は、このような価格工程見積もり詳細画面１３０１を示すものである。この価格工程見積もり詳細画面１３０１は、外見上は図１０の価格工程見積もり詳細画面１００１とほぼ同様のものであり、異なっているのは「発注いたしますか」という文章が「別仕様をインプットしますか」に変わっている点である。
【００９０】
ユーザは、表示された価格工程見積もり詳細画面１３０１の価格表示欄１３００２及び工期表示欄１３０３の内容を検討し、この内容のままで発注しても構わないのであれば、この「ＹＥＳ」ボタンではなく「ＮＯ」ボタン１３０７をクリックする。一方、この内容では了解できず、更に別の仕様の入力を希望するのであれば「ＹＥＳ」ボタン１３０６をクリックする。
【００９１】
「ＹＥＳ」ボタン１３０６をクリックすると、ユーザ端末２には再び図９の電子モックアップ画面９０１が表示され、ユーザは既述したのと同様の方法で自己が希望する仕様を記入する。この場合、例えば、ユーザは最初に呈示された手摺Ａに変えて手摺Ｂを採用した見積もりを要求し、それでも了解できずに更に手摺Ｃを採用した見積もりを要求したものとする。
【００９２】
すなわち、ユーザは、電子モックアップ画面９０１上で手摺Ｃを記入した後、仕様入力完了ボタン９１７をクリックしたとする。すると、ユーザ端末２には、図１４に示すような、仕様／見積もり比較確認画面１４０１が表示される。この画面には、手摺Ａ，Ｂ，Ｃの各見積もり価格が表示されている。ユーザは、手摺Ａを採用した場合の仕様詳細、価格詳細、工程を知りたい場合はそれらの「表示」ボタンをクリックすればよい。同様に、手摺Ｂ又は手摺Ｃを採用した場合の仕様詳細、価格詳細、工程を知りたい場合はそれらの「表示」ボタンをクリックすればよい。
【００９３】
更に、この画面には「別の仕様をインプットしますか？」という文章が表示されており、その横に「ＹＥＳ」ボタン及び「ＮＯ」ボタンが設けられている。ユーザが、別の仕様例えば手摺Ｄを採用した場合の仕様をインプットしたい場合は「ＹＥＳ」ボタンをクリックすればよく、その場合には前と同様に図９の電子モックアップ画面９０１が表示されるので、この手摺Ｄを採用した場合の仕様を記入すればよい。
【００９４】
図１４の画面では、現在、手摺Ａが選択された状態が表示されており、ユーザは手摺Ａを採用した仕様で発注したいと思う場合には「ＮＯ」ボタンをクリックする。すると、ユーザ端末２には図１５に示す発注前最終確認画面１５０１が表示される。発注前最終確認画面１５０１が仕様／見積もり比較確認画面１４０１と異なる点は、「別の仕様をインプットしますか？」という文章が「発注を行いますか？」という文章に変わっている点と、「仕様比較」の下の手摺Ａ〜Ｃの名称の左側にチェック印指定部１５０２が設けられている点である。ユーザは、手摺Ａの左横のチェック印指定部１５０２にチェック印を付け、この状態で「ＹＥＳ」ボタンを押す。
【００９５】
すると、新規仕様データ登録手段９は、既述したように、新規仕様データ登録手段９がエレベータ情報管理データベース４の各データベースに必要なデータを登録した後、図１２に示した仕様設定完了表示画面１２０１をユーザ端末２に表示させるようにする。
【００９６】
これまで説明してきたのは、図７の画面７０１において、ユーザが「新規入力」ボタン７０２をクリックした場合、すなわちステップ３における判別結果が「ＹＥＳ」の場合の新規仕様設定についてであったが、次にユーザが「既設物件参照／流用」ボタン７０３をクリックした場合、すなわちステップ３における判別結果が「ＮＯ」の場合の設定の仕方につき説明する。
【００９７】
ユーザが「既設物件参照／流用」ボタン７０３をクリックすると、ユーザ端末２には図１６に示すような既設物件検索流用画面１６０１が表示される。ユーザは、画面上の「用途」、「定員」、「階床」の各検索項目の欄に該当するデータを記入した後（ステップ６）、検索実行ボタン１６０２をクリックする。すると、ユーザ物件リスト１６０３には、現在アクセスを行っているユーザ自身がこれまでに発注した物件について、件数と共に、名称、住所、リンクが表示される（ステップ７）。ユーザの中には不動産会社のように、同じような仕様の複数のビルやマンションを所有している場合があるが、ここにはこのような建物に設置された類似仕様の一連のエレベータがリストアップされる。なお、「リンク」とはデータの格納先を示すものであり、ユーザはこの部分をクリックすることにより、別の画面でその既設物件に関する詳しい情報を入手することができる。
【００９８】
既設物件検索流用画面１６０１には、また、他ユーザ既設物件リスト１６０４も表示される（ステップ７）。これは、現在アクセスを行っているユーザ以外の他のユーザが所有している物件のリストである。但し、このリスト１６０４には、リスト１６０３とは異なり、「公開可／不可」を示す欄が設けられており、「不可」が記入されている物件については情報が公開されないようになっている。
【００９９】
いま、例えば、ユーザがユーザ既設物件リスト１６０３の中からいずれかの物件をピックアップし、このピックアップした物件にカーソルを当ててその物件の表示を反転させ、その状態で「流用ボタン」１６０５をクリックしたとする。すると、図９の電子モックアップ画面９０１が表示され、この画面上にピックアップされた物件のイメージや各種仕様が表示される。この場合、既述した「新規入力」の場合では表示されなかった物件情報表示欄９０５内の製造番号が表示されることになる。
【０１００】
ユーザは、この電子モックアップ画面９０１上に表示された既設物件と全く同一仕様でかまわなければ「同一仕様」ボタン９０６をクリックした後、仕様入力完了ボタン９１７をクリックすればよい（ステップ８）。また、この表示された既設物件の一部の仕様について変更を行いたければ「変更」ボタン９０７をクリックして、その一部の仕様についての変更を行った後、仕様入力完了ボタン９１７をクリックすればよい（ステップ８）。
【０１０１】
ユーザが仕様入力完了ボタン９１７をクリックすると電子モックアップ画面９０１に記入された新規仕様データは、ユーザ端末２側から見積もり送付手段８に出力される。そして、見積もり送付手段８はこの入力した新規仕様データに基づき見積もり処理を開始してエレベータの価格及び工期を演算する。この場合、見積もり送付手段８は、既設物件の仕様についてその流用の程度に応じて割り引きを行うものとし、割引率を決定する（ステップ９）。このように、既設物件の仕様を新規仕様に流用する場合に割り引きを行うのは、過去に経験した技術をそのまま応用できるので、一般にエレベータの設置工事をより容易に行うことができるのが通常だからである。なお、ステップ１０以降の処理については、既述したのと同様であるため重複した説明を省略する。
【０１０２】
このように、この実施形態では、ユーザが既設物件の仕様を流用できるようにして仕様設定を容易に行えるようにし、さらに、既設物件の仕様を流用することによりエレベータメーカの労力が軽減される分が見積もり価格に反映されるようにし、ユーザに対する価格面でのサービスを向上させることが企図されている。
【０１０３】
ところで、ユーザはエレベータメーカに対して一旦発注を行った後に、種々の事情から仕様変更を申し入れる場合がある。従来、このような場合に、ユーザは仕様変更を行った場合の納期や価格の変動状況を直ちに知ることができず、仕様変更が可能であるかどうかの判別自体が困難である場合もあったが、本発明によれば、このような場合にも有効に対処することが可能となっている。
【０１０４】
すなわち、ユーザはエレベータメーカに発注を行った後に、仕様変更を行おうとする場合には、図６の画面Ｐ６０５において物件コードを記入し、物件情報として表示される「進捗・工程」の文字をクリックする。これにより、ユーザ端末２には図１１に示した工程表表示画面１１０１が表示され、ユーザは発注後の工事の進捗状況に基づき仕様変更が可能な状況であるかを判別することができる。そして、ユーザは、仕様変更が可能であると判別した場合、図９の電子モックアップ画面９０１上に仕様変更を希望する物件についての詳細を表示させ、「変更」ボタン９０７をクリックして希望する個所についての変更内容を記入した後、仕様入力完了ボタン９１７をクリックする。
【０１０５】
これにより、見積もり送付手段８は再度演算を行い、その演算結果をユーザ端末２側に報告する。図１７は、このときユーザ端末２側に報告される内容を示す説明図である。この図に示される価格工程見積もり詳細画面１７０１では、仕様変更前及び仕様変更後の各価格及び各工期がそれぞれ価格表示欄１７０２及び工期表示欄１７０３に対比された態様で示されている（価格表示欄１７０２においてはかっこ内が変更前のものを示している）。
【０１０６】
ユーザはこの結果を検討し、変更仕様を実施しようとする場合には「ＹＥＳ」ボタン１７０４をクリックする。これにより、新規仕様データ登録手段９は、新規仕様の内容を変更したこと、及びその変更仕様に関するデータをエレベータ情報管理データベース４に登録する。一方、ユーザはこの結果（例えば、「三方枠」の工期が遅れることになる）では変更仕様を実施できないと判断した場合には、「ＮＯ」ボタンをクリックし、再度図９の電子モックアップ画面９０１上で別の変更仕様を記入するか、あるいは仕様の変更を行わないようにする。
【０１０７】
ところで、前述した図９の全体イメージ画面９０２におけるシミュレーション動作の記載においては説明が省略されていたが、本実施形態では上記の「シミュレーションボタン」９０９をクリックすることにより、ユーザは種々の視点から見たシミュレーション動作をユーザ端末２の画面に表示できるようになっている。以下、このシミュレーション動作の表示の仕方につき説明する。
【０１０８】
エレベータのシミュレーション動作を画面上で表示する場合、最も簡潔な表示の仕方は、エレベータ利用者（乗客）を登場させることなく、単にエレベータの機械部分の動きのみを写し出すことであるが、通常、その視点についてはエレベータの動作内容をユーザが最も理解しやすく且つ見やすいと考えられるような視点が各場面毎で選択されて切り換わるようになっている。このような視点を本明細書では、「客観視点」と呼ぶことにする。これに対し、シミュレーション動作中にエレベータ利用者を画面に登場させ、このエレベータ利用者の視点から見た動作を表示する仕方もあるが、このような表示におけるエレベータ利用者の視点を本明細書では「仮想視点」と呼ぶことにし、この仮想視点から見たエレベータの模擬動作のことを「バーチャル・ビュー・シミュレーション」と呼ぶことにする。このバーチャル・ビュー・シミュレーションの表示によれば、ユーザはあたかも自分が実際にエレベータかご内又はエレベータ乗り場に居るかのような感覚を体験することができ、そのエレベータの新規仕様についてのイメージを具体的に抱くことができるようになる。あるいは、文章や音声等のみによる説明では素早く理解するのが困難な操作手順等についても、このバーチャル・ビュー・シミュレーションの表示を活用することにより、ユーザは容易にその内容を理解することができるようになる。
【０１０９】
また、シミュレーション動作表示中にユーザがクリック操作等により客観視点又は仮想視点の好きな方、あるいは複数の客観視点及び仮想視点の中から好みの視点を選択できるようにする表示の仕方があるが、このような表示の仕方で写し出されるシミュレーションを本明細書では「リアルタイム・シミュレーション」と呼ぶ。これに対し、各場面毎で用いられる視点が予め作成・編集されたストーリーに沿って決められており、画面の表示の仕方についてユーザが介入する余地のないシミュレーションを本明細書では「非リアルタイム・シミュレーション」と呼ぶことにする。通常、画面にエレベータ利用者が登場するシミュレーションはリアルタイム・シミュレーションとし、エレベータ利用者が登場しないシミュレーションは非リアルタイム・シミュレーションとしてシミュレーション内容がプログラムされることが多いが必ずしも一義的に定まっているわけではない。
【０１１０】
次に、上記の各シミュレーションの表示の仕方の一例につき説明する。図９の電子モックアップ画面９０１上でユーザが「シミュレーションボタン」９０９をクリックすると、ユーザ端末２の画面は図１８に示すようなオペレーションシミュレータ画面１８０１に切り換わる。このオペレーションシミュレータ画面１８０１は、選択オペレーション表示欄１８０２、オペレーション概要表示欄１８０３、各種操作ボタン１８０４、及びシミュレーション表示画面１８０５により構成されている。
【０１１１】
選択オペレーション表示欄１８０２は、画面上でシミュレーション動作を行わせることが可能なオペレーションの種類を選択するための欄であり、図示の例では、「通常運転（自動）」、「通常運転（乗客）」、「パーキング」等のオペレーションが表示されている。「通常運転（自動）が選択されると、かごの昇降路における移動動作やドア開閉動作が自動動作として、つまり乗客が居ない態様でシミュレーション表示される。一方、「通常運転（乗客）」が選択されると、「通常運転（自動）」の場合と同様に、かごの昇降路における移動動作やドア開閉動作がシミュレーション表示されるが、この場合には乗り場ホールで乗客が乗り降りしたり、かご内で乗客が操作盤を操作する様子についても表示されるようになっている。また、「パーキング」が選択されると、所定階にかごが停止状態となる様子がシミュレーション表示される（この場合には、オペレーションの性質上、乗客は表示されない）。
【０１１２】
そして、ユーザが、シミュレーション表示させようとするオペレーションの名称にカーソルを合わせると、選択オペレーション表示欄１８０２においてその文字が反転されて表示されると共に、選択されたオペレーションの概要がオペレーション概要表示欄１８０３に表示されるようになっている。図示の例では、「通常運転（乗客）」の文字が反転された状態で表示されており、更に、この「通常運転（乗客）」の文字がクリックされた場合にシミュレーション表示画面１８０５に表示される内容がオペレーション概要表示欄１８０３に示されている。
【０１１３】
各種操作ボタン１８０４は、シミュレーション表示画面１８０５に表示される画面に対する操作を行うためのボタンであり、ユーザはこれらのボタンを操作することにより、シミュレーション動作について再生、停止、早送り、終了等の操作を行うことができる。
【０１１４】
シミュレーション表示画面１８０５は、上記したように、選択オペレーション表示欄１８０２で選択されたオペレーションのシミュレーション動作を表示する画面であり、上記のリアルタイム・シミュレーション又は非リアルタイム・シミュレーションの機能に基づきエレベータの一連の動作についての動画像が連続的に再生されるようになっている。図示の例は、リアルタイム・シミュレーションの機能に基づく「通常運転（乗客）」の再生中の一コマの内容を示したものであり、昇降路１８０７を移動してきたかご１８０６が所定階床に到着し、ホールドア１８０８の前で待っている二人の乗客Ｍ１，Ｍ２がこれからかご１８０６に乗り込もうとしている状態を写し出している。
【０１１５】
この後、画面の表示内容が進行し、図１９（ａ）に示すように、シミュレーション表示画面１８０５には、ホールドア及びかごドアが開放した場面が大きく写し出される。図示の例は、乗り場ホールで待っていた二人の乗客Ｍ１，Ｍ２がかご内の様子をうかがっており、かご内には二人の乗客Ｍ３，Ｍ４が立っている場面である。このとき、ユーザが乗客Ｍ１の部分にカーソルをあててクリックを行うと、それ以降は矢印Ｙ１で示す乗客Ｍ１の視点（仮想視点）から見た画面に切り換わり、バーチャル・ビュー・シミュレーションが表示される。図１９（ｂ）は、このような乗客Ｍ１の仮想視点から見た画像の表示内容であり、乗客Ｍ２と、これに相対する二人の乗客Ｍ３，Ｍ４が更に大きく写し出されている。
【０１１６】
それまで画面に表示されていたのは、エレベータの動作を最も把握しやすいと考えられる客観的な視点からのものであったが、このように乗客Ｍ１の仮想視点から見たバーチャル・ビューを表示することにより、ユーザは恰も自分が実際にエレベータの乗り場ホールに居るかのような臨場感を味わうことができ、エレベータの運転動作の内容を具体的且つ鮮明に理解することができるようになる。なお、図１９（ａ）における矢印Ｙ１は説明の便宜上付したものであり、実際の画面では表示されないものである。また、図１９（ｂ）において、ユーザが乗客Ｍ２の部分にカーソルをあててクリックを行うと、更にそれ以降は矢印Ｙ２で示す乗客Ｍ２の仮想視点から見た画面に切り換わるようになる。
【０１１７】
そして、上記のようなバーチャル・ビュー・シミュレーションの表示によれば、画面上での文章説明や音声出力による説明だけでは直ちに理解するのが難しいようなエレベータ操作手順等についてもユーザに容易に理解させることができるようになる。例えば、図２０（ａ）は、かご内に乗り込んだ乗客Ｍ５がかご操作盤に対して操作を行おうとしている状態を客観視点により写し出した画面であるが、この画面以降はストーリーの展開に従って、矢印Ｙ５で示す乗客Ｍ５の仮想視点から見た画面に切り換わる。図２０（ｂ）は、このとき乗客Ｍ５の仮想視点から見た画像の表示内容であり、かご操作盤と、これに設けられた行先階ボタンや戸開ボタン及び戸閉ボタンとが写し出されている。
【０１１８】
いま、１階の乗り場ホールからかご内に乗り込んだ乗客Ｍ５が目的階の５階に行こうと思って▲５▼のボタンを押そうとしたが、誤って▲７▼のボタンを押してしまい、その後に▲５▼のボタンを押したため、図２０（ｂ）では▲５▼及び▲７▼の２つのボタンが点灯された状態となっている。このままの状態では、乗客Ｍ５は他の乗客に迷惑をかける虞があるので、７階の呼び登録をキャンセルしておくことが好ましい（最近の殆どのエレベータにはこのようなキャンセル機能が装備されている）。この場合のキャンセルを行うためには、乗客Ｍ５は▲７▼のボタンを２回連続して押せばよい。このようなキャンセル機能を働かせるための操作手順については、もちろん画面上での文章説明や音声出力等によっても説明可能ではあるが、上記のように乗客Ｍ５の視点から見た大きなかご操作盤や乗客Ｍ５の指の動き等を画面上に写し出すことにより、ユーザはより素早く且つ容易に操作手順を理解することができる。
【０１１９】
また、エレベータのかご内には、行先階ボタンの他に、戸開ボタン及び戸閉ボタン、あるいは非常時に用いる非常呼びボタンやインターホンなどが設置されているが、このような各種ボタンや各種の機器の使用方法についてもバーチャル・ビュー・シミュレーション表示の手法を採用することにより、ユーザに容易且つ正確に理解させることができる。
【０１２０】
なお、上記のように操作手順等を説明するためにのシミュレーションは、人体モデルが登場してくるにもかかわらず、通常は、画面の表示の仕方についてユーザが介入することができない非リアルタイム・シミュレーションとしてプログラムされるのが通常であり、図２０（ａ）の画面から図２０（ｂ）の画面への切り換わりも、既述したように、ストーリーの展開にしたがって自動的に行われるようになっている。しかし、この場合においても、ユーザが画面上で人体モデル（乗客Ｍ５）の部分をクリックした場合には、ストーリーの展開にかかわらず、その時点から乗客Ｍ５の仮想視点で見た画面が写し出されるようにプログラムすることも可能である。
【０１２１】
ところで、図５におけるステップ４，５及びステップ１０，１１，１２，１３で説明した処理すなわちユーザ端末２に図８の基本仕様入力画面８０１を表示させた以降の処理は、ユーザ側で必要とする判断や操作が必ずしも少ないものとは言えず、ユーザ側での労力軽減という観点からはなお改善の余地を有するものであった。そこで、本出願人の発明者らは上記の処理の提案後に新たな改良処理案を提示しているので、これにつき以下に説明することにする。
【０１２２】
いま、ユーザが図７に示す画面７０１において、「新規入力」ボタン７０２をクリックしたとすると、新規仕様記入画面提供手段７はユーザ端末２に図２１に示す基本仕様入力画面２１０１を表示させるようにする。この画面には、「物件名」、「用途」、「階床数」、「ＥＬＶ（エレベータ）スペース」、などの必須仕様項目が例えば黒色で表示され、また、付加的仕様項目である「概略予算」、「希望納期」が例えば青色で表示されている。ユーザは、キーボード等によりこれら各項目に関するデータを記入する。但し、「用途」については、ユーザがメニュー表示ボタン２１０３をクリックしてプルダウンメニューを表示させ、このプルダウンメニューに記載されている「乗用」、「住宅用」、「寝台用」、「荷物用」、「非常用」のうちからいずれか一つを選択するようにする。
【０１２３】
ここで、図２１と図８とを比較してみると、共通している項目は用途及び納期だけであり、その他の項目は異なったものとなっている。すなわち、基本仕様入力画面８０１における「型式」、「定員」、「速度」の項目は削除されている。これらの項目を正しく選択することは、専門的知識を持たないユーザにとっては必ずしも容易なことではないからである。そして、基本仕様入力画面２１０１では新たな項目として「物件名」、「階床数」、「ＥＬＶスペース」、「概略予算」が掲げられているが、これらの項目についての記入は専門的知識を持たないユーザにとってもさして難しいことではない。また、図８では、全ての項目についてスクロールキーが設けられており、ユーザはこのスクロールキーを操作して適当と思われる事象を選択する判断を強いられていたが、図２１の項目はその技術的内容が一義的に定まる性質のものばかりであるためユーザは判断に時間をかけることなく各項目についての記入を行うことができる。
【０１２４】
ユーザは、基本仕様入力画面２１０１の全ての項目を記入した後（但し、「概略予算」及び「希望納期」は記入しなくても可）、入力完了ボタン２１０２をクリックする。すると、見積もり送付手段８は、基本仕様入力画面２１０１の記入データに基づき価格及び工期（納期）を算出し、新規仕様記入画面提供手段７は、この算出結果を他の項目と共に図２２の基本仕様結果画面２２０１に表示するようにする。この基本仕様結果画面２２０１には、エレベータの施工に最低限必要な基本的仕様についての項目が表示されており、基本仕様入力画面８０１において表示されていた「定員」、「速度」もこの基本仕様結果画面２２０１に表示されている。
【０１２５】
一般に、ユーザがエレベータの新規設置を計画する際に最も知りたい情報は価格及び工期であり、基本仕様結果画面２２０１ではこれらが「基本価格」及び「納期」として表示されている。この場合の「基本価格」及び「納期」とは、オプション等の機能が一切付加されず、且つ、用品や部材等も標準仕様のものばかりを用いた場合の価格及び工期である。また、「用途」については、基本仕様入力画面２１０１においてユーザ自身が選択したものと同一のデータが確認のために表示されている。「ＥＬＶ台数」、「定員」、「速度」については、基本仕様入力画面２１０１においてユーザが選択したデータに基づき見積もり送付手段８が容易に特定することができる。なお、「速度」については、エレベータメーカ側が標準仕様として設定してある数値が初期値として表示されるが、ユーザは表示欄右側にプルダウンメニューを表示するために設けられているメニュー表示ボタン２２０９をクリックすることにより、複数の速度のうちから所望の速度を選択することができるようになっている（但し、標準仕様以外の速度を選択した場合は、「基本価格」及び「納期」が変わることがある）。
【０１２６】
また、この改良処理案では、基本仕様入力画面２１０１においてユーザが示した条件に対し１つの候補プランだけでなく、複数の候補プランを呈示できるようにしている。「候補リスト番号」はこのような候補プランを特定するためのものであり、基本仕様結果画面２２０１に図示されている例では「１」という数字が反転表示されており、「候補リスト番号」が「１」，「２」，「３」のもののうち「１」のものが表示されていることを示している。
【０１２７】
基本仕様結果画面２２０１には、更に、「基本仕様入力へ戻る」ボタン２２０２、オプション選択ボタン２２０３、特殊意匠選択ボタン２２０４、保存・終了ボタン２２０５、所定個所の色彩を指定するための複数の色彩名表示欄２２０６及びメニュー表示ボタン２２０７、一度の操作で複数個所の色彩を揃えることができる色合わせボタン２２０８が設けられている。そして、基本仕様結果画面２２０１には、更に、かご室内の意匠を示したウィンドウＷ１、及び乗場ドア付近の意匠を示したウィンドウＷ２が表示されている。
【０１２８】
「基本仕様入力へ戻る」ボタン２２０２をユーザがクリックすると、ユーザ端末２の画面には再び図２１の基本仕様入力画面２１０１が表示され、ユーザは入力をやり直すことができる。オプション選択ボタン２２０３は、ユーザが基本的仕様にオプション機能を付加することを希望する場合に操作すべきボタンであり、特殊意匠選択ボタン２２０４は、ユーザが所定個所の意匠につき、標準仕様として設定された意匠に代えて特殊な意匠を採用することを希望する場合に操作すべきボタンであるが、これらのボタンの操作については後述する。保存・終了ボタン２２０５は、表示された基本仕様をそのまま最終仕様とする場合、すなわちオプション選択も特殊意匠選択も行なわない場合にユーザが操作すべきボタンであり、この保存・終了ボタン２２０５がクリックされると図２７に示す最終仕様結果画面２７０１が表示されるが、これについても後述する。
【０１２９】
「基本仕様入力へ戻る」ボタン２２０２の下方位置には、「かご室内」、「乗場ドア」、「三方枠」、「天井」の各個所について色彩を設定するための色彩名表示欄２２０６、メニュー表示ボタン２２０７、及び色合わせボタン２２０８が設けられている。各個所の色彩名表示欄２２０６には、エレベータメーカ側が標準仕様として設定している色彩名がデフォルトで表示されているが、ユーザはメニュー表示ボタン２２０７をクリックしてプルダウンメニューを表示させることにより所望の色彩を選択することができる。
【０１３０】
また、ユーザは色合わせボタン２２０８を用いることにより、１回の操作で「かご室内」、「乗場ドア」、「三方枠」の各色彩について前回操作時の内容と同一のものを選択することができる。例えば、いま、ユーザが自己の好みに基づき色彩設定を行うべく「乗場ドア」及び「三方枠」の各メニュー表示ボタン２２０７をクリックして、「乗場ドア」については「モスグリーン」を選択し、「三方枠」については「グレー」を選択したものとする（「かご室内」についてはそのままとするので標準仕様の「アイボリー」となる）。そして、その後ユーザが候補リスト番号の「２」をクリックすると、基本仕様結果画面２２０１にはこのリスト番号２に係る基本仕様が表示され、「かご室内」、「乗場ドア」、「三方枠」、「天井」の色彩については、それぞれ「アイボリー」、「アイボリー」、「アイボリー」、「スタンダード」がデフォルトで表示される。この場合、ユーザはリスト番号１のときと同じ色彩設定を行うためには「乗場ドア」及び「三方枠」の各メニュー表示ボタン２２０７をクリックして「モスグリーン」及び「グレー」の色彩を選択する操作を行えばよいが、それではユーザに面倒な同一操作を強いることになる。しかし、この場合にユーザが色合わせボタン２２０８をクリックすると、「かご室内」、「乗場ドア」、「三方枠」の各色彩についてリスト番号１の基本仕様結果画面において前回選択した各色彩名「アイボリー」、「モスグリーン」、「グレー」を簡単に選択することができる。
【０１３１】
基本仕様結果画面２２０１のウィンドウＷ１，Ｗ２には、上記のように、かご室内及び乗場ドア付近の意匠が表示される。これらはエレベータ利用者の目に直接触れる個所の意匠であり、ユーザが新規仕様を設定する際に最も関心を示す意匠だからである。そして、これらのウィンドウＷ１，Ｗ２に示される意匠の色彩は、上記した操作により色彩名表示欄２２０６に表示された色彩である。したがって、ユーザは外観上最も重要な個所である「かご室内」及び「乗場ドア」についての意匠の内容を画面上に表示して具体的に確認することができ、もしその意匠が自己の好みに合わない場合等には再度色彩の設定を行うか、あるいは他のリスト番号のものを選択したり、更に後述する特殊意匠選択を行うなどの対策を講ずることができる。
【０１３２】
さて、ユーザが基本仕様結果画面２２０１に表示された基本的仕様だけではあきたらず、オプション機能を付加することを希望する場合にはオプション選択ボタン２２０３をクリックする。すると、ユーザ端末２には図２３に示すようなオプション／特殊意匠選択画面２３０１が表示される。このオプション／特殊意匠選択画面２３０１には、オプション選択ボタン２３０２及び特殊意匠選択ボタン２３０３が設けられており、図示の状態ではオプション選択ボタン２３０２が反転表示されているので、表示されている画面はオプション選択画面であることが分かる。
【０１３３】
このオプション選択画面では、オプションパッケージタグ２３０４を有するオプションパッケージ表示部、及び標準オプション一覧タグ２３０５を有する標準オプション一覧表示部が表示できるようになっている。図示の状態は、オプションパッケージタグ２３０４の方が標準オプション一覧タグ２３０５よりも手前側に表示されているので、オプションパッケージ表示部が表示されていることが分かる。ここで、オプションパッケージとは、エレベータメーカがユーザに対して推奨する複数のオプションを一まとめにしたものであり、「お薦めパッケージ」とも呼ばれるものである。
【０１３４】
そして、このオプションパッケージ表示部には、複数のオプションがオプションパッケージの形態で一括して表示されたオプションパッケージ表示テーブル２３０６と、オプションパッケージを表示する順番を示す表示順表示欄２３０７、及びプルダウンメニューを表示するためのメニュー表示ボタン２３０８とが設けられている。表示順表示欄２３０７には、現在、「価格順」が表示されているが表示順としては、その他に「納期順」、及び「人気ランキング順」がある。ユーザは、メニュー表示ボタン２３０８をクリックすることにより、これらの表示順のうちから自己の希望する順番でオプションパッケージを表示させることができる。オプションパッケージ表示テーブル２３０６の下方には、パッケージ番号を示す「１」、「２」、「３」の数字が記載されているが、「１」という数字が反転表示されていることから、現在表示されているオプションパッケージはパッケージ番号が「１」に係るものであることが分かる。そして、パッケージ番号「１」が最も価格が低いものであり、以下、パッケージ番号が「２」、「３」と繰り下がる毎に価格が高くなっていく。
【０１３５】
オプションパッケージ表示テーブル２３０６には、パッケージを構成する個々のオプションがユーザにより選択された状態にあるか否かをレ点で示す選択済みチェック欄、オプション名表示欄、人気ランキング表示欄、価格表示欄、納期表示欄、オプションを一目で識別できる図形等が表示されたイメージ表示欄が設けられており、右端にはスクロールボタン２３０９が設けられている。そして、ユーザはイメージ表示欄に描かれている図形部分をクリックすることにより、そのオプションについての詳しい情報を得ることができるようになっている。例えば、「オートアナウンス」のイメージ表示欄に描かれた「ＯＰ説明」部分をクリックすると、別の画面でオペレーション説明に関する文章が表示されると共に、その文章の内容が音声出力される。また、「ホールランタン」のイメージ表示欄に描かれたランタンの図形部分をクリックすると、別の画面上にそのホールランタンの詳しい外観及び寸法やその他の仕様が表示される。
【０１３６】
オプションパッケージ表示テーブル２３０６は、デフォルトの状態では全てのオプションにチェック印が付されて全て選択された表示状態になっているが、ユーザはこれらのチェック印を外すことにより自己にとって不要なオプションをパッケージから削除することができる（但し、オプションパッケージは、価格及び納期あるいはその他の面でユーザにとってメリットが出るようにエレベータメーカがオプション同士の組み合わせを設定したものであるから、ユーザは削除するにあたってはこのようなメリットが失われないように注意することが好ましい。）。
【０１３７】
オプションパッケージ表示テーブル２３０６には、また、選択済みソートボタン２３１０が設けられており、ユーザがこの選択済みソートボタン２３１０をクリックすると、選択された状態になっているオプションが上方から順に表示されるようになっている。
【０１３８】
このように、オプションパッケージ表示部には、オプションパッケージ全体についての価格順、納期順、及び人気ランキング順を表示できる他に、オプションパッケージを構成する個々のオプションについても価格、納期、及び人気ランキングを表示することができる。したがって、ユーザはこれらの有用な情報を総合的に勘案して自己に最も適したオプションの組み合わせを得ることができる。
【０１３９】
オプションパッケージ表示部の下方には、「オプション合計」、「特殊意匠合計」、「総合計」、「予算」についての「価格」及び「納期」が表示される。図示の状態では、初期表示されたパッケージ番号「１」に係るオプションパッケージの４つのオプションがそのまま選択されているので「オプション合計」の価格は４０万円であり、これら４つのオプションを施工するのに要する納期は２週間となっている。「特殊意匠合計」の価格はまだこの時点では何ら選択されていないので０円である。「総合計」の価格は、図２２の基本仕様結果画面２２０１における「基本価格」（この場合、２００万円とする）に上記の「オプション合計」価格４０万円を加えた２４０万円であり、その納期は２５日になっている。「予算」の価格及び納期はそれぞれ３００万円及び３０日になっているが、これはユーザが図２１の基本仕様入力画面２１０１において記入した数字である。
【０１４０】
オプション選択画面の下部には、オペレーション確認ボタン２３１１、「基本仕様結果へ戻る」ボタン２３１２、及び保存・終了ボタン２３１３が設けられている。ユーザは、オペレーション確認ボタン２３１１をクリックすることにより、自己が選択したオプションのオペレーション内容を電子モックアップ画面上で確認することができる（この電子モックアップ画面の図示は省略する）。オペレーション内容を電子モックアップ画面上で確認する技術については、先の実施形態の図９において既述したが、この実施形態ではユーザ自身が選択した仕様の下でオペレーションを確認できる点が先の実施形態とは異なっている。そして、この実施形態では、もしユーザが特殊意匠選択を行っていれば（特殊意匠選択については、これから説明する）、その特殊意匠が選択された状態でのオペレーション内容が電子モックアップ画面上に表示されることになる。また、ユーザは、「基本仕様結果へ戻る」ボタン２３１２をクリックすることにより図２２の基本仕様結果画面２２０１に戻ることができ、この画面上で所望の操作を行うことができる。そして、ユーザは保存・終了ボタン２３１３をクリックすることによりこのオプション選択画面での操作を終了させることができる。この保存・終了ボタン２３１３がクリックされると、選択されたオプションが基本仕様に付加された状態でのデータがユーザ端末２及びエレベータ情報管理データベース４に保存され、図２７の最終仕様結果画面２７０１がユーザ端末２に表示される。
【０１４１】
また、ユーザは、標準オプション一覧タグ２３０５をクリックすることにより、標準オプション一覧表示部を表示させることができる。この標準オプション一覧表示部が表示された状態を図２４に示す。この標準オプション一覧表示部には、複数のオプションが表示された標準オプション一覧表示テーブル２４０１と、オプションを表示する順番を示す並び順表示欄２４０２、及びプルダウンメニューを表示するためのメニュー表示ボタン２４０３とが設けられている。
【０１４２】
標準オプション一覧表示テーブル２４０１は、図２３において既に説明したオプションパッケージ表示テーブル２３０６と同じような内容が記載されたテーブルであり、スクロールボタン２４０４及び選択済みソートボタン２４０５が設けられている。但し、この標準オプション一覧表示テーブル２４０１には、ユーザが既に選択したオプションパッケージの各オプションが最上段から順に表示されており、その下に「かご内防犯カメラ」、「行先階取消機能」等の標準オプションが表示されている。したがって、ユーザは、既に選択済みのオプションと、これから選択しようとするオプションとを同一画面上で見ることができ、オプション選択を容易に行うことができる。
【０１４３】
上記のオプション選択を終えたユーザは、この時点で保存・終了ボタン２３１３をクリックして最終仕様を決定する操作を行うようにしてもよいが、更に、図２３又は図２４における特殊意匠選択ボタン２３０３をクリックすることにより、図２５に図示したようにオプション／特殊意匠選択画面２３０１内で特殊意匠選択画面を表示させることができる（図示の状態では特殊意匠選択ボタン２３０３が反転表示されているので、表示されている画面は特殊意匠選択画面であることが分かる）。尤も、この特殊意匠選択画面は、図２２に示した基本仕様結果画面２２０１で特殊意匠選択ボタン２２０４をクリックすることによっても表示させることができる。
【０１４４】
この特殊意匠選択画面では、こだわり意匠検索タグ２５０１を有するこだわり意匠検索画面表示部、及び過去物件意匠タグ２５０２を有する過去物件意匠表示部が表示できるようになっている。こだわり意匠検索画面表示部に表示される意匠は、過去に実際に施工されたエレベータに係る意匠であり、その施主はいまユーザ端末２により新規仕様を設定しようとしているユーザとその他のユーザとの双方を含んでいる。これに対し、過去物件意匠表示部に表示される意匠は、施主がいまユーザ端末２により新規仕様を設定しようとしているユーザのみのものである。図２５に図示されている状態は、こだわり意匠検索タグ２５０１の方が過去物件意匠タグ２５０２よりも手前側に表示されているので、こだわり意匠検索画面表示部が表示されていることが分かる。
【０１４５】
このこだわり意匠検索画面表示部には、複数の意匠についての関連事項が記載されたこだわり意匠表示テーブル２５０３と、このテーブル内で意匠を表示する順番を示す並び順表示欄２５０４、及びプルダウンメニューを表示するためのメニュー表示ボタン２５０５とが設けられている。こだわり意匠表示テーブル２５０３の左方には、テーブルに表示される意匠についての場所及び用品等が表示されている。例えば、「かご」という場所については「天井」、「側板」、「入口柱」、「ＣＯＰ（操作盤）」、「ドア」…などの用品が用いられ、「出入口」という場所については「ドア」、「三方枠」、「ホールランタン」、「ＨＩＢ（乗場ボタン）」…などの用品が用いられていることが表示されている。そして、「天井」という文字が四角い枠で囲まれているので、こだわり意匠表示テーブル２５０３に表示されているのは、「かご」の「天井」についての意匠であることが分かる。
【０１４６】
こだわり意匠表示テーブル２５０３には、個々の意匠がユーザにより選択された状態にあるか否かをレ点で示す選択済みチェック欄、意匠のイメージを表す図形表示欄（図示の場合は「天井種類」の図形の表示欄）、建物名表示欄、施主表示欄、（建物の）住所表示欄、価格表示欄、納期表示欄が設けられており、右端にはスクロールボタン２５０６が設けられている。図示の状態は、過去に「××ビル」において施工された天井が選択されていることを示しており、ユーザはこの天井の図形部分をクリックすることにより、この天井についての詳細な仕様を知ることができるようになっている。
【０１４７】
並び順表示欄２５０４には、メニュー表示ボタン２５０５をクリックすることにより「価格順」又は「納期順」のいずれかを指定することができるようになっており、「価格順」を指定した場合は一番価格が低いものを上側から順に表示し、「納期順」を指定した場合は一番納期が早いものを上側から順に表示するようになっている。なお、並び順を「価格順」、「納期順」の２つのみとしているが、オプション選択の場合のように、更に「人気ランキング順」を加えるようにしてもよい。
【０１４８】
図２５では、こだわり意匠検索画面表示部が過去物件意匠表示部の前面側に位置して表示されている場合を示しているが、過去物件意匠表示部の表示内容もほぼこれと同一であるため、その図示を省略することとする。
【０１４９】
こだわり意匠検索画面表示部の下方には、オプション選択の場合と同様に、「オプション合計」、「特殊意匠合計」、「総合計」、「予算」についての「価格」及び「納期」が表示される。図示の状態では、「オプション合計」の価格は既述した通り４０万円であり、「特殊意匠合計」の価格は、××ビルの２０万円である。「総合計」の価格は、図２２の基本仕様結果画面２２０１における「基本価格」（この場合、２００万円とする）に上記の「オプション合計」価格４０万円及び「特殊意匠合計価格」２０万円を加えた２６０万円であり、その納期は３２日になっている（図２３又は図２４では２５日であったが、特殊意匠選択を行ったため１週間分が加わり３２日になっている）。
【０１５０】
特殊意匠選択画面の下部には、意匠確認・検討ボタン２５０７、「基本仕様結果へ戻る」ボタン２５０８、及び保存・終了ボタン２５０９が設けられている。「基本仕様結果へ戻る」ボタン２５０８、及び保存・終了ボタン２５０９は、図２３又は図２４における「基本仕様結果へ戻る」ボタン２３１２、及び保存・終了ボタン２３１３と同様のものである。意匠確認・検討ボタン２５０７は、ユーザがこだわり意匠検索画面表示部又は過去物件意匠表示部において選択した各用品の意匠を取り込んだ状態で、かご室内及び乗場の外観を表示すると共に、更に細かな仕様についてユーザが設定する場合に操作するボタンである。
【０１５１】
図２６は、上記の意匠確認・検討ボタン２５０７がクリックされた場合に、ユーザ端末２に表示される特殊意匠確認・検討画面２６０１の説明図である。この特殊意匠確認・検討画面２６０１は、かご室内表示画面２６０２、乗り場表示画面２６０３、及び用品仕様設定画面２６０４により構成されている。上述したように、かご室内表示画面２６０２及び乗り場表示画面２６０３に写し出されている外観は、ユーザが図２５の特殊意匠選択画面において選択した各用品の意匠を用いた場合の外観である。したがって、ユーザは自己が選択した意匠の具体的イメージを最終仕様決定前に容易に確認することができ、自己の希望するイメージにそぐわない意匠で施工されてしまう事態を防ぐことができる。
【０１５２】
更に、ユーザは、用品仕様設定画面２６０４において、各用品についての詳細な仕様を設定することができる。すなわち、ユーザが、かご室内表示画面２６０２又は乗り場表示画面２６０３において、詳細な仕様を設定しようとする用品が写し出された個所をクリックすると、用品仕様設定画面２６０４にはそのクリックされた個所にある用品についての仕様設定項目が表示される。図２６に表示されている例は、ユーザがかご室内表示画面２６０２においてドアが写し出されている個所をクリックした場合のものであり、用品仕様設定画面２６０４には「かごドア」に関する仕様設定項目つまり「材質」、「色」、「仕上げ」について選択すべき項目が表示されている。ユーザは、これらの項目のうち自己が希望する項目に対応するチェック印表示部２６０５にチェック印を付ければよい。
【０１５３】
さて、上記のように、オプション選択及び特殊意匠選択を終えたユーザは、図２５の保存・終了ボタン２５０９をクリックする。すると、ユーザ端末２には、図２７に示す最終仕様結果画面２７０１が表示される。この最終仕様結果画面２７０１には、図示されたような最終仕様項目すなわち「用途」、…、「納期」に関する項目が表示されており、また、電子モックアップ画面表示ボタン２７０２、「基本仕様結果画面に戻る」ボタン２７０３、「オプション選択画面に戻る」ボタン２７０４、「特殊意匠選択画面に戻る」ボタン２７０５、及び最終仕様決定ボタン２７０６が設けられている。なお、既述したように、この最終仕様結果画面２７０１は、図２２における保存・終了ボタン２２０５、図２３における保存・終了ボタン２３１３をクリックすることによっても表示させることができる。
【０１５４】
ユーザが電子モックアップ画面表示ボタン２７０２をクリックすると、これまでにユーザが行ってきた数々の設定内容が反映された最終仕様での運転動作が電子モックアップ画面上にシミュレーション表示される。図２８は、この最終仕様での運転動作についてのシミュレーション表示画面の一例を示す説明図である。この図に示すように、各階床の乗り場には乗客Ｍ１，Ｍ２，Ｍ５，Ｍ６が待っており、かご内に乗客Ｍ３，Ｍ４が乗っている様子が表示されている。そして、ユーザは所定の画面操作を行うことにより、例えば、８階乗場付近のズームイン画面を表示させることもできる。このズームイン画面は図１９（ａ）と同様の画面である。したがって、前述したように、ユーザは乗客Ｍ１又はＭ２の部分にカーソルをあててクリックすることにより、乗客Ｍ１，Ｍ２の視点から見たバーチャル・ビュー・シミュレーション表示をユーザ端末２に行わせることができる。図２８の場面以降、かごが８階から７階、６階への下降して行き、乗客の乗降する様子が動画像として連続的に画面に表示される。ユーザは、このような画面を通して、最終仕様が満足のいくものであるか否かを具体的に確認することが可能になる。また、バーチャル・ビュー・シミュレーションの画面を表示させることにより、乗客としてエレベータに乗降する行為を模擬的に体験することができるので、乗客としての立場で最終仕様が適切なものであるか否かを判断することもできる。
【０１５５】
ユーザは、上記のようにシミュレーション表示された運転動作を画面上で見た後、仕様設定を再度やり直した方が良いと判断した場合には、ボタン２７０３〜２７０５を操作して各ボタンに対応する画面を表示させることができる。また、シミュレーション表示された運転動作を画面上で見ても問題がないと判断した場合には、最終仕様決定ボタン２７０６をクリックして最終的に仕様を決定することができる。そして、この最終仕様決定ボタン２７０６がユーザによりクリックされると、新規仕様データ登録手段９はこれをユーザの発注意思が有る旨の最終的確認と見做し、エレベータ情報管理データベース４にこの最終仕様に関するデータやユーザ情報等の所定データを登録して保存する。
【０１５６】
なお、ユーザが図２１の基本仕様入力画面２１０１をユーザ端末２に表示させた以降の上記処理内容の概略を図２９にまとめとして図示しておく。この図２９に示した過程は、図５においてステップ４，５を経てステップ１０〜１３に至る過程に相当するものである。
【０１５７】
まず、ユーザは新規入力ボタン７０２（図７）をクリックして基本仕様入力画面（図２１）を表示させ（ステップ２９０１）、基本仕様の入力を完了した後、基本仕様結果画面（図２１）を表示させる（ステップ２９０２）。
【０１５８】
ユーザは、この基本仕様結果画面を見てオプション選択するか否かを判断し（ステップ２９０３）、オプション選択する場合にはオプション選択画面（図２３，図２４）を表示させてオプション選択を行う（ステップ２９０４）。この場合、ユーザはオプション選択を行わないことも可能である。
【０１５９】
次いで、ユーザはオプション選択画面又は基本仕様結果画面において特殊意匠選択するか否かを判断し（ステップ２９０５）、特殊意匠選択する場合には特殊意匠選択画面（図２５，図２６）を表示させて特殊意匠選択を行う（ステップ２９０６）。この場合も、ユーザは特殊意匠選択を行わないことが可能である。
【０１６０】
この後、ユーザは最終仕様結果画面（図２７）を表示させ、更に、最終仕様に基づく運転動作をシミュレーション画面（図２８）で確認する（ステップ２９０７）。そして、表示された最終仕様で良いかどうかを決定する（ステップ２９０８）。決定した場合は新規仕様データ登録手段９がエレベータ情報管理データベース４に受注登録を行う（ステップ２９０９）。一方、決定しなかった場合、ユーザは再度前の画面に戻って設定をやり直すことになる（ステップ２９１０）。
【０１６１】
上記のように、図２１〜図２９を参照しつつ説明した改良処理案によれば、ユーザ側の必要最小限のデータ入力により、少なくとも最もシンプルな仕様である基本仕様を得ることができ、ユーザはこの基本仕様に対して必要なオプション選択を行ったり、特殊意匠選択を行うことにより、自己の希望する最終仕様を得ることができる。すなわち、ユーザがエレベータの新規仕様設定に費やす労力及び時間を大幅に軽減することができ、しかも、ユーザの充分満足する新規仕様を提供することができる。
【０１６２】
以上のように、上記したエレベータの新規設置仕様設定支援システムによれば、エレベータメーカの営業員とユーザ側担当者とが直接対面しなくても、電子モックアップ画面をはじめとする種々の機能を活用することにより、ユーザ側担当者はエレベータシステム完成後のイメージを充分具体的につかむことができ、その他の詳細な仕様についても迅速且つ正確に知ることができるようになる。したがって、短時間でエレベータの新規仕様を設定することができるようになり、ユーザ側及びエレベータメーカ側双方が費やす時間及び労力を大幅に軽減することができる。
【０１６３】
また、ユーザがエレベータメーカに対して発注を行った後に仕様を変更する場合でも、仕様変更に伴う価格及び工期の変動状況を素早く把握することができ、ユーザ側及びエレベータメーカ側の双方が迅速な対応をとることができるようになる。
【０１６４】
更に、本発明のシステムによれば、従来のような営業員と担当者との直接対面による販売形態がそれほど必要でなくなるために、ユーザ側では発注の見込みの低いと思われるエレベータメーカに対しても躊躇することなく見積もりを依頼することができ、一方、エレベータメーカにとっても従来殆ど交流のなかったユーザからも営業取引できるチャンスを増やすことが期待できる。すなわち、本システムの導入によってエレベータ業界全体の活性化を図ることが可能になる。
【０１６５】
【発明の効果】
以上のように、本発明によれば、インターネットを有効に利用する形態を採用しているので、ユーザ側とエレベータメーカ側とが直接対面する形態を必ずしも販売の基本的形態とする必要がなくなり、エレベータを新規に設置する場合にその仕様の設定を容易且つ確実に行うことができ、もってユーザ及びエレベータメーカ双方の労力を軽減すると共に、ユーザの希望条件を充分に取り入れることが可能になる。
【図面の簡単な説明】
【図１】本発明の実施形態に係るエレベータの新規設置仕様設定支援システムの構成を示すブロック図。
【図２】図１におけるエレベータ新規仕様設定用サーバ１及びエレベータ情報管理データベース４の詳細な構成を示すブロック図。
【図３】図１又は図２におけるエレベータ情報管理データベース４の階層構造を示す説明図。
【図４】図２のエレベータ情報管理データベース４内の仕様データベース１８の階層構造を示す説明図。
【図５】図１の動作を説明するためのフローチャート。
【図６】図１におけるユーザ認証手段６の処理内容を説明するためのフローチャート。
【図７】図１における新規仕様記入画面提供手段７がユーザ端末２に表示させる画面についての説明図。
【図８】図１における新規仕様記入画面提供手段７がユーザ端末２に表示させる基本仕様入力画面についての説明図。
【図９】図１における新規仕様記入画面提供手段７がユーザ端末２に表示させる電子モックアップ画面についての説明図。
【図１０】図１における見積もり送付手段８からユーザ端末２に送付され、ユーザ端末２に表示される価格工程見積もり詳細画面の説明図。
【図１１】図１０の「工程表」ボタン１００５をクリックした場合にユーザ端末２に表示される工程表表示画面の説明図。
【図１２】図１における新規仕様データ登録手段９が受注登録後にユーザ端末２に表示させる仕様設定完了表示画面についての説明図。
【図１３】図１における見積もり送付手段８からユーザ端末２に送付され、ユーザ端末２に表示される、図１０とは別の価格工程見積もり詳細画面の説明図。
【図１４】図１における見積もり送付手段８が、ユーザの別仕様インプット後にユーザ端末２に表示させる、仕様／見積もり比較確認画面についての説明図。
【図１５】図１４の「ＮＯ」ボタンをクリックした場合に、ユーザ端末２に表示される発注前最終確認画面についての説明図。
【図１６】図１における新規仕様記入画面提供手段７がユーザ端末２に表示させる既設物件検索流用画面についての説明図。
【図１７】図１における見積もり送付手段８が、ユーザの変更仕様インプット後にユーザ端末２に表示させる、価格工程見積もり詳細画面についての説明図。
【図１８】図１における新規仕様記入画面提供手段７がユーザ端末２に表示させるオペレーションシミュレータ画面１８０１についての説明図。
【図１９】図１８におけるシミュレーション表示画面１８０５に表示されるバーチャル・ビュー・シミュレーション動作の表示画面例を示す説明図であり、（ａ）は客観視点からの表示画面、（ｂ）は（ａ）の画面における乗客Ｍ１の仮想視点からの表示画面を示している。
【図２０】図１８におけるシミュレーション表示画面１８０５に表示されるバーチャル・ビュー・シミュレーション動作の表示画面例を示す説明図であり、（ａ）は客観視点からの表示画面、（ｂ）は或る乗客Ｍ５の仮想視点からの表示画面を示している。
【図２１】改良処理案において、新規仕様記入画面提供手段７がユーザ端末２に表示させる基本仕様入力画面についての説明図。
【図２２】改良処理案において、新規仕様記入画面提供手段７がユーザ端末２に表示させる基本仕様結果画面についての説明図。
【図２３】改良処理案において、新規仕様記入画面提供手段７がユーザ端末２に表示させるオプション選択画面についての説明図。
【図２４】改良処理案において、新規仕様記入画面提供手段７がユーザ端末２に表示させるオプション選択画面についての説明図。
【図２５】改良処理案において、新規仕様記入画面提供手段７がユーザ端末２に表示させる特殊意匠選択画面についての説明図。
【図２６】改良処理案において、新規仕様記入画面提供手段７がユーザ端末２に表示させる特殊意匠確認・検討画面についての説明図。
【図２７】改良処理案において、新規仕様記入画面提供手段７がユーザ端末２に表示させる最終仕様結果画面についての説明図。
【図２８】改良処理案において、新規仕様記入画面提供手段７がユーザ端末２に表示させる最終仕様に基づくシミュレーション表示画面についての説明図。
【図２９】改良処理案の処理内容の概略を説明するためのフローチャート。
【符号の説明】
１  エレベータ新規仕様設定用サーバ
２  ユーザ端末
３  インターネット
４  エレベータ情報管理データベース
５  ＰＤＭシステム
６  ユーザ認証手段
７  新規仕様記入画面提供手段
８  見積もり送付手段
９  新規仕様データ登録手段
１０  全社的情報サーバ
１１  局所的情報サーバ
１２  本社サーバ
１３  工場サーバ
１４  フィールドサーバ
１５  海外現法サーバ
１６  顧客データベース
１７  発番データベース
１８  仕様データベース
１９  価格データベース
２０  ＮＥＴ−ＣＯＳＴデータベース
２１  ３Ｄ−ＣＡＤデータベース
２２  電気ＣＡＤデータベース
２３  出図手配データベース
２４  設計ノウハウデータベース
２５  製造データベース
２６  工程データベース
２７  調達データベース
２８  保守データベース
２９  品質データベース
３０  トラブルデータベース
３１  総合データベース
Ｍ１〜Ｍ５  乗客
【図１】
0004252257.tif 000002
【図２】
0004252257.tif 000003
【図３】
0004252257.tif 000004
【図４】
0004252257.tif 000005
【図５】
0004252257.tif 000006
【図６】
0004252257.tif 000007
【図７】
0004252257.tif 000008
【図８】
0004252257.tif 000009
【図９】
0004252257.tif 000010
【図１０】
0004252257.tif 000011
【図１１】
0004252257.tif 000012
【図１２】
0004252257.tif 000013
【図１３】
0004252257.tif 000014
【図１４】
0004252257.tif 000015
【図１５】
0004252257.tif 000016
【図１６】
0004252257.tif 000017
【図１７】
0004252257.tif 000018
【図１８】
0004252257.tif 000019
【図１９】
0004252257.tif 000020
【図２０】
0004252257.tif 000021
【図２１】
0004252257.tif 000022
【図２２】
0004252257.tif 000023
【図２３】
0004252257.tif 000024
【図２４】
0004252257.tif 000025
【図２５】
0004252257.tif 000026
【図２６】
0004252257.tif 000027
【図２７】
0004252257.tif 000028
【図２８】
0004252257.tif 000029
【図２９】
0004252257.tif 000030